(57)【要約】【課題】ＵＳＢインターフェースとメモリカードインターフェースとを１つのコネクタで共用可能にする。【解決手段】メモリを備える本体部３０１と、本体部の一端部に配置されたコネクタ部であって、ＵＳＢインターフェース用のコネクタと、ＵＳＢインターフェース用のコネクタと隣接した位置に配置されたＣＬＰＩインターフェース用のコネクタとを備えるコネクタ部とを具備し、コネクタ部がＵＳＢインターフェース用のスロットに装着された場合には、ＵＳＢインターフェースに基づくデータ転送を行い、コネクタ部がＣＬＰＩインターフェース用のスロットに装着された場合には、ＣＬＰＩインターフェースに基づくデータ転送を行う。【選択図】図４
2008097306.tif 000002
【特許請求の範囲】
【請求項１】
メモリを備える本体部と、
前記本体部の一端部に配置されたコネクタ部であって、ＵＳＢインターフェース用のコネクタと、該ＵＳＢインターフェース用のコネクタと隣接した位置に配置されたＣＬＰＩインターフェース用のコネクタとを備えるコネクタ部とを具備し、
前記コネクタ部がＵＳＢインターフェース用のスロットに装着された場合には、ＵＳＢインターフェースに基づくデータ転送を行い、前記コネクタ部がＣＬＰＩインターフェース用のスロットに装着された場合には、ＣＬＰＩインターフェースに基づくデータ転送を行うことを特徴とするメモリカード。
【請求項２】
前記ＵＳＢインターフェース用のコネクタを構成する各端子と、前記ＣＬＰＩインターフェース用のコネクタを構成する各端子は、前記コネクタ部内に配置された基板の同一面上に配置されていることを特徴とする請求項１に記載のメモリカード。
【請求項３】
前記ＵＳＢインターフェース用のコネクタを構成する各端子と、前記ＣＬＰＩインターフェース用のコネクタを構成する各端子は、前記コネクタ部内に配置された基板の互いに異なる面上に配置されていることを特徴とする請求項１に記載のメモリカード。
【請求項４】
前記ＣＬＰＩインターフェース用のコネクタは、前記コネクタ部が前記ＵＳＢインターフェース用のスロットに装着された場合に、前記ＵＳＢインターフェース用のスロット内の各端子に接触しない位置に配置されていることを特徴とする請求項１に記載のメモリカード。
【請求項５】
前記ＣＬＰＩインターフェース用のコネクタの各端子は、前記コネクタ部が前記ＵＳＢインターフェース用のスロットに装着された場合に、前記ＵＳＢインターフェース用のスロット内に配置されたストッパに接触しない位置に配置されていることを特徴とする請求項１に記載のメモリカード。
【請求項６】
前記本体部は、電源制御回路と、ＵＳＢインターフェース制御回路と、ＣＬＰＩインターフェース制御回路とをさらに備え、前記コネクタ部が前記ＵＳＢインターフェース用のスロットに装着された場合には、前記電源制御回路は前記ＵＳＢインターフェース制御回路への電源供給を行うと共に、前記ＣＬＰＩインターフェース制御回路への電源供給を停止し、前記コネクタ部が前記ＣＬＰＩインターフェース用のスロットに装着された場合には、前記電源制御回路は前記ＣＬＰＩインターフェース制御回路への電源供給を行うと共に、前記ＵＳＢインターフェース制御回路への電源供給を停止することを特徴とする請求項１に記載のメモリカード。
【請求項７】
前記本体部は、ＵＳＢインターフェース制御回路と、ＣＬＰＩインターフェース制御回路とをさらに備え、前記コネクタ部が前記ＵＳＢインターフェース用のスロットに装着された場合には、前記ＣＬＰＩインターフェース制御回路は内部クロックを停止し、前記コネクタ部が前記ＣＬＰＩインターフェース用のスロットに装着された場合には、前記ＵＳＢインターフェース制御回路は内部クロックを停止することを特徴とする請求項１に記載のメモリカード。
【請求項８】
請求項１乃至７のいずれか１項に記載のメモリカードのコネクタ部を装着するためのスロットを備えることを特徴とするデジタルカメラ。
【発明の詳細な説明】
【技術分野】
【０００１】
本発明は、デジタルカメラ、パーソナルコンピュータ等とメモリカードの接続技術に関するものである。
【背景技術】
【０００２】
現在、パーソナルコンピュータ等で最も広く普及しているデータ転送方式の一つとして、ＵＳＢ(Universal Serial Bus)方式と呼ばれる高速シリアルデータ転送方式が知られている。
【０００３】
ＵＳＢ方式でのデータ転送を実現するためには、ＵＳＢ規格に従い、次の構成を備える必要がある。即ち、伝送路に対してデータをシリアルに入出力するＵＳＢ−ＰＨＹと呼ばれる部分と、ＵＳＢ−ＰＨＹで変換されたパラレル信号を入出力し、ＵＳＢ機器内部でのデータ転送を行うＵＳＢ−ＬＩＮＫと呼ばれる部分である。
【０００４】
ＵＳＢ−ＰＨＹとＵＳＢ−ＬＩＮＫとの接続に関しては、ＵＴＭＩ(USB 2.0 Transceiver Macrocell Interace)と呼ばれる規格が定められている。しかし、ＵＴＭＩに対してＰＨＹ−ＬＩＮＫ間の端子数を削減した、ＵＬＰＩ(UTMI+ Low Pin Interface)と呼ばれる規格も定められている。そして、ＵＳＢ−ＰＨＹ／ＵＳＢ−ＬＩＮＫそれぞれを実現するためのＩＰあるいはＬＳＩが半導体メーカーから発表されている。
【０００５】
デジタルカメラとプリンタ、及びパーソナルコンピュータとのインターフェースとして上記のＵＳＢインターフェースが用いられている。
【０００６】
一方、デジタルカメラ等の記録媒体として使用される、小型メモリカードには、ＣＦカード、ＳＤカード、スマートメディアなど様々な規格が存在している。デジタルカメラメーカーは各社それぞれにメディアを選択し、デジタルカメラ毎に使用可能なメモリカードを決定している。
【０００７】
また、デジタルカメラで撮影した画像データ等をパソコンで表示させる場合には、多くの場合専用のインターフェースか、専用のアダプタを有するＵＳＢ機器を経由して、メモリカードから画像データをパソコンに転送させる必要がある。
【０００８】
そのため、ユーザーは、メモリカードに応じて専用のインターフェースを備えたパソコンを準備するか、専用のアダプタを有するＵＳＢ機器を購入する必要があり、ユーザーは経済的な負担を強いられている。
【０００９】
この問題を解決するために、現在パソコンで最も広く普及しているＵＳＢインターフェースを備えたメモリカードが提案されている。
【００１０】
特許文献１乃至３では、一方の側にＣＦカードインターフェース若しくはＳＤカードインターフェースのいずれかを配置し、他方の側にＵＳＢインターフェースを備えた小型メモリカードが提案されている。これらの提案におけるメモリカードは、ＣＦカードインターフェース若しくはＳＤカードインターフェース側から、あるいはＵＳＢインターフェース側からのいずれかからメモリアクセスが可能な構成となっている。
【００１１】
ユーザーは、これらのメモリカードをデジタルカメラで使用する場合には、ＣＦカードインターフェース若しくはＳＤカードインターフェースの側をデジタルカメラに挿入して撮影する。また、パソコン（ＰＣ）に画像データを転送する場合には、ＵＳＢインターフェースの側をＰＣに接続してデータ転送を行うことが可能である。
【００１２】
これにより、ユーザーは、メモリカードに応じて専用のアダプタを有するＵＳＢ機器を購入する必要がなく、またほとんどのパソコンに直接データ転送を行うことが可能となる。
【００１３】
また、特許文献４では、さらにメモリカードの小型化と互換性を推し進め、ＵＳＢインターフェース形状の汎用型マイクロメモリカードを提案している。
【００１４】
この提案におけるメモリカードは、ＵＳＢインターフェースに使用する４本の端子間に、少なくとも一本以上のデータ転送端子を配置している。そして、ＵＳＢインターフェース用データ転送端子（Ｄ＋／Ｄ−）と、４本の端子間に配置したデータ転送端子とを用いて、ＵＳＢメモリとしてのデータ転送と、ＳＤカード等の異なる規格のインターフェースでのデータ転送の双方を可能にしている。
【００１５】
このメモリカードは、共有利用するデータ転送端子（Ｄ＋／Ｄ−）を使用して初期化信号の伝送を行い、伝送される初期化信号の電位変化に応じて、使用されるメモリカードインターフェース及びデータ転送経路等の切り替えを行っている。また異なる規格のメモリカードインターフェースに応じて必要な電源電圧の供給を行っている。
【特許文献１】実用新案登録第０３０９０６７１号公報
【特許文献２】実用新案登録第０３１０９１９３号公報
【特許文献３】実用新案登録第０３１０９３４６号公報
【特許文献４】特開２００４−２８８１４１号公報
【発明の開示】
【発明が解決しようとする課題】
【００１６】
メモリカードスロットに対して、メモリカードとＵＳＢフラッシュメモリカードを共用できるようにするためには、上記のような公知の提案がなされている。しかし、上記の技術にはそれぞれ以下のような問題点がある。
【００１７】
特許文献１では、ＣＦカードとＵＳＢフラッシュメモリカードを１つのメモリカードで実現する提案がなされているが、ＣＦカードは５０本のＩＦを有しているため、小型化するのが困難である。また物理的なＩＦ（インターフェース）が２つ必要となり、ＵＳＢＩＦとのコネクタの共有化が非常に困難である。
【００１８】
特許文献２では、ＳＤカードとＵＳＢフラッシュメモリカードを１つのメモリカードで実現する提案がなされているが、特許文献１と同様に物理的なＩＦが２つ必要となり、ＵＳＢＩＦとのコネクタの共有化が非常に困難である。
【００１９】
特許文献３では、ＵＳＢＩＦとメモリカードＩＦを持ち、ＵＳＢＩＦで動作中にメモリカードＩＦの接続がなされたら、メモリカードＩＦでの動作を優先させる構成をとっている。しかし、やはり物理的なＩＦが２つ必要となり、ＵＳＢＩＦとのコネクタの共有化が非常に困難である。またＵＳＢＩＦの動作中にメモリカードＩＦの接続を許す構成のため、回路構成が複雑となる。
【００２０】
特許文献４では、ＵＳＢインターフェース形状の汎用型マイクロメモリカードが提案されている。しかし、ＵＳＢインターフェースに使用する４本の端子間に新たに端子を設けるには、端子間の精度が要求され、従来のＵＳＢインターフェースを使用している機器との接続性に問題がある。
【００２１】
また、デジタルカメラで使用されるメモリカードインターフェースとして、ＳＤ、コンパクトフラッシュ（登録商標）、ＭＳ等が採用されており、それぞれのインターフェースに応じた回路が必要とされる。
【００２２】
また、デジタルカメラにはＵＳＢインターフェースが搭載されていて、メモリカードインターフェースとは異なる回路が必要とされ、回路規模が大きくなることや、デジタルカメラ内のＡＳＩＣのピンが増大する問題がある。
【００２３】
したがって、本発明は上述した課題に鑑みてなされたものであり、その目的は、ＵＳＢインターフェースとメモリカードインターフェースとを１つのコネクタで共用可能にすることである。
【課題を解決するための手段】
【００２４】
上述した課題を解決し、目的を達成するために、本発明に係わるメモリカードは、メモリを備える本体部と、前記本体部の一端部に配置されたコネクタ部であって、ＵＳＢインターフェース用のコネクタと、該ＵＳＢインターフェース用のコネクタと隣接した位置に配置されたＣＬＰＩインターフェース用のコネクタとを備えるコネクタ部とを具備し、前記コネクタ部がＵＳＢインターフェース用のスロットに装着された場合には、ＵＳＢインターフェースに基づくデータ転送を行い、前記コネクタ部がＣＬＰＩインターフェース用のスロットに装着された場合には、ＣＬＰＩインターフェースに基づくデータ転送を行うことを特徴とする。
【００２５】
また、本発明に係わるデジタルカメラは、上記のメモリカードのコネクタ部を装着するためのスロットを備えることを特徴とする。
【発明の効果】
【００２６】
本発明によれば、ＵＳＢインターフェースとメモリカードインターフェースとを１つのコネクタで共用可能とすることができる。
【発明を実施するための最良の形態】
【００２７】
以下、本発明の好適な実施形態について、添付図面を参照して詳細に説明する。
【００２８】
（第１の実施形態）
図１及び図２には、本発明の第１の実施形態に係るＣＬＰＩインターフェースを備えたＵＳＢメモリカード（以下ＣＬＰＩメモリカード）とそれを装着して使用可能なデジタルカメラ１０１との関係が示されている。
【００２９】
ＣＬＰＩインターフェース（Connection Low Pin Interface）は、ＵＬＰＩ(UTMI+ Low Pin Interface)に対し簡単なプロトコル変換を施したものである。
【００３０】
図１は、本実施形態のＣＬＰＩインターフェースを備えたＣＬＰＩメモリカードとデジタルカメラ１０１との関係を示す。図２は本実施形態のＣＬＰＩインターフェースを備えたＣＬＰＩメモリカードとパーソナルコンピュータ２０１との関係を示す。
【００３１】
パーソナルコンピュータ２０１は、ＵＳＢ装置を装着するためのＵＳＢインターフェーススロットを有している。このＵＳＢインターフェーススロットは、各種のＵＳＢデバイスと接続することができる。
【００３２】
ＣＬＰＩメモリカードは、ＣＬＰＩインターフェースを備えたメモリカードである。そして、ＵＳＢインターフェースのコネクタと同一の形状で、ＣＬＰＩインターフェースのスロットのみならずＵＳＢインターフェースのスロットを有する装置にも装着することができる。
【００３３】
図１において、デジタルカメラ１０１は、画像の記録を指示するレリーズスイッチ１０２と、被写体像を結像させるレンズ１０３と、ＣＬＰＩインターフェースを備えたカードスロット１０４と、ＵＳＢインターフェーススロット１０５とを有している。
【００３４】
カードスロット１０４には、ＣＬＰＩメモリカード３０１が装着される。また、カードスロット１０４には、開閉可能なカード蓋１０６が設けられている。
【００３５】
ＣＬＰＩメモリカード３０１は、カードスロット１０４に装着され、カードスロット１０４とは、ＣＬＰＩインターフェース用コネクタ３５４の接点３２０〜３３３を介して接続される。
【００３６】
ＵＳＢインターフェーススロット１０５には、ＵＳＢケーブル１２１を介し、ＵＳＢ装置１２０が接続され、本実施形態ではプリンタが接続される。
【００３７】
図２において、パーソナルコンピュータ２０１は、ＵＳＢインターフェーススロット２０２を有している。ＵＳＢインターフェーススロット２０２には、ＵＳＢインターフェースケーブルまたは、ＵＳＢインターフェースコネクタを直接介してＵＳＢ装置が接続される。
【００３８】
ＣＬＰＩメモリカード３０１のコネクタ部は、ＵＳＢインターフェースのコネクタと同一の形状である。そして、ＵＳＢインターフェーススロット２０２に装着され、ＵＳＢインターフェーススロット２０２とは、ＵＳＢ用コネクタ３５２の接点３１０〜３１３を介して接続される。
【００３９】
図３Ａは、ＣＬＰＩメモリカードコネクタ３５０の端子配置を示した図である。
【００４０】
ＣＬＰＩメモリカードコネクタ３５０には、ＵＳＢインターフェース用コネクタ３５２とＣＬＰＩインターフェース用コネクタ３５４が隣接して、同一面上に配置されている。
【００４１】
ＵＳＢインターフェース用コネクタ３５２のＶＣＣ端子３１０とＣＬＰＩインターフェース用コネクタ３５４のＶＣＣ端子３２０が共通に設けられている。また、ＵＳＢインターフェース用コネクタ３５２のＧＮＤ端子３１３とＣＬＰＩインターフェース用コネクタ３５４のＧＮＤ端子３３３も共通に設けられている。
【００４２】
ＣＬＰＩメモリカードコネクタ３５０の長さは、ＵＳＢインターフェーススロット２０２の受け口の奥行きよりも長く設定されている。そのため、ＣＬＰＩメモリカード３０１がＵＳＢインターフェーススロット２０２に挿入されても、ＣＬＰＩインターフェース用コネクタ３５４はＵＳＢインターフェーススロット２０２に接触しない。そして、ＵＳＢインターフェーススロット２０２には、ＵＳＢインターフェース用コネクタ３５２のみが接触するため、ＵＳＢメモリとして機能する。また、ＵＳＢインターフェーススロット、ＣＬＰＩインターフェーススロットの双方に対して、メモリカードが一方向に脱着可能となり、メモリカードのデッドスペースを小さくできる効果がある。
【００４３】
図３Ｂは、図３Ａの構成に対し、ＵＳＢインターフェース用コネクタ３５２のＶＣＣ端子３１０とＣＬＰＩインターフェース用コネクタ３５４のＶＣＣ端子３２０を共通化しない構成とし、互いの電源を独立させている。これにより、端子別に電源を分けて供給することができる。
【００４４】
３２０はＣＬＰＩインターフェース用コネクタ３５４のＶＣＣ端子、３１０はＵＳＢインターフェース用コネクタ３５２のＶＣＣ端子であり、３３３はＣＬＰＩインターフェース用コネクタ３５４のＧＮＤ端子、３１３はＵＳＢインターフェース用コネクタ３５２のＧＮＤ端子である。
【００４５】
図３Ｃは、図３ＡのＣＬＰＩインターフェース用コネクタ３５４の端子配置を変更した例を示す図である。
【００４６】
ＣＬＰＩインターフェース用コネクタ３５４の一つの端子であるＣＬＫ端子３２９を中央に配置し、ＣＬＫ端子３２９の周辺にデータ端子３２１〜３２８を配置している。残りの制御端子３３０〜３３２は、ＣＬＰＩメモリカードコネクタ３５０の端に配置してもよい。
【００４７】
これにより、クロック周辺にデータ端子を配置することで、それぞれのデータのセットアップホールドのばらつきを抑えられる。
【００４８】
また、図３Ｂの構成で、ＣＬＰＩインターフェース用コネクタ３５４の端子配置を同様に変更する構成でもよい。
【００４９】
図３Ｄは、ＣＬＰＩメモリカードコネクタ３５０の端子配置のさらに他の例を示した図であり、ＵＳＢインターフェース用コネクタ３５２とＣＬＰＩインターフェース用コネクタ３５４を互いに反対面に配置した状態を示している。
【００５０】
このＣＬＰＩメモリカードコネクタ３５０では、ＵＳＢインターフェース用コネクタ３５２とＣＬＰＩインターフェース用コネクタ３５４が互いに表裏反対面に配置されている。また、ＵＳＢインターフェース用コネクタ３５２とＣＬＰＩインターフェース用コネクタ３５４はＣＬＰＩメモリカード３０１の同じ方向に隣接して配置されている。これにより、表裏を利用することによって端子の幅を広くでき、接触不良などの故障の原因を防ぐことができる。
【００５１】
またこの構成では、ＵＳＢインターフェース用コネクタ３５２のＶＣＣ端子３１０とＣＬＰＩインターフェース用コネクタ３５４のＶＣＣ端子３２０を共用している。また、ＵＳＢインターフェース用コネクタ３５２のＧＮＤ端子３１３とＣＬＰＩインターフェース用コネクタ３５４のＧＮＤ端子３３３も共用している。
【００５２】
ＣＬＰＩメモリカードコネクタ３５０はＵＳＢインターフェーススロット２０２の受け口の奥行きより長く形成されている。そして、ＣＬＰＩメモリカード３０１がＵＳＢインターフェーススロット２０２に挿入されても、ＣＬＰＩインターフェース用コネクタ３５４はＵＳＢインターフェーススロット２０２に接触しないように構成されている。
【００５３】
これによりＵＳＢインターフェーススロット２０２にＣＬＰＩメモリカード３０１が挿入されても、ＵＳＢインターフェーススロット２０２は、ＵＳＢインターフェース用コネクタ３５２のみに接触するため、ＵＳＢフラッシュメモリとして機能する。
【００５４】
図３Ｅは、ＣＬＰＩメモリカードコネクタ３５０の端子配置のさらに他の例を示した図である。この構成では、片面にＵＳＢインターフェース用コネクタ３５２とＣＬＰＩインターフェース用コネクタ３５４の一部が配置され、反対面にＣＬＰＩインターフェース用コネクタ３５４の残りの端子が配置されている。また、ＵＳＢインターフェース用コネクタ３５２とＣＬＰＩインターフェース用コネクタ３５４はＣＬＰＩメモリカード３０１の同じ方向に隣接して配置されている。これにより、ＣＬＰＩインターフェース用コネクタ３５４のそれぞれの端子幅を広くとることができる。
【００５５】
図３Ｆは、ＣＬＰＩメモリカードコネクタ３５０の端子配置のさらに他の例を示した図である。この構成では、ＵＳＢインターフェース用コネクタ３５２の間にＣＬＰＩインターフェース用コネクタ３５４の一部の端子を配置している。そして、残りのＣＬＰＩインターフェース用コネクタ３５４の端子をＵＳＢインターフェーススロット２０２の受け口の奥行きより遠い位置に配置している。
【００５６】
ＣＬＰＩメモリカードコネクタ３５０は、ＵＳＢインターフェーススロット２０２の受け口の奥行きより長く形成されている。そして、ＣＬＰＩインターフェース用コネクタ３５４は、ＣＬＰＩメモリカード３０１の挿入端からＵＳＢインターフェーススロット２０２の受け口の奥行きより遠い位置に配置されている。
【００５７】
また、ＵＳＢインターフェース用コネクタ３５２とＣＬＰＩインターフェース用コネクタ３５４はＣＬＰＩメモリカード３０１の同じ方向に隣接して配置されている。
【００５８】
これによりＣＬＰＩメモリカードコネクタ３５０の幅が狭くてもＵＳＢインターフェース用コネクタ３５２とＣＬＰＩインターフェース用コネクタ３５４を同一面上に配置することができる。
【００５９】
図３Ｇは、ＣＬＰＩメモリカードコネクタ３５０の端子配置のさらに他の例を示した図である。この構成では、ＣＬＰＩインターフェース用コネクタ３５４の各端子が、ＵＳＢインターフェーススロット２０２のストッパーを避けた位置に配置されている。
【００６０】
図２のＵＳＢインターフェーススロット２０２には、図３Ｈに示すＵＳＢメモリ３０２のＵＳＢコネクタ３０３にあるストッパー孔３０４を受けるストッパー突起がある。
【００６１】
ＵＳＢインターフェース用コネクタ３５２の裏にＣＬＰＩインターフェース用コネクタ３５４を配置すると、上記のストッパー突起によりＣＬＰＩインターフェース用コネクタ３５４を傷つける可能性がある。
【００６２】
それを避けるために、ＣＬＰＩインターフェース用コネクタ３５４の一部または全てをＵＳＢインターフェーススロット２０２のストッパー突起と接触する可能性がある位置に配置しない構成とする。
【００６３】
図３Ｃから図３Ｇでは、ＵＳＢインターフェース用コネクタ３５２のＶＣＣ端子３１０とＣＬＰＩインターフェース用コネクタ３５４のＶＣＣ端子３２０を共用化している。また、ＵＳＢインターフェース用コネクタ３５２のＧＮＤ端子３１３とＣＬＰＩインターフェース用コネクタ３５４のＧＮＤ端子３３３の端子も共用化している。しかし、ＵＳＢインターフェース用コネクタ３５２のＶＣＣ端子３１０とＣＬＰＩインターフェース用コネクタ３５４のＶＣＣ端子３２０を共用化しない構成とし、互いの電源を独立させてもよい。
【００６４】
図１２Ａに、ＣＬＰＩメモリカード３０１の代表的なブロック構成図を示す。
【００６５】
１１０２はメモリカード内の電源管理を行う電源制御回路である。電源制御回路１１０２は、ＣＬＰＩメモリカードコネクタ３５０を介してデジタルカメラ１０１若しくはパーソナルコンピュータ２０１から供給される電圧を、所定の電圧に変換する。或いは直接、後述するメモリカード内のＵＳＢ−ＰＨＹ１２１０、ＡＳＩＣ１２２０及びフラッシュメモリ１１０１等に供給する。
【００６６】
ＵＳＢ−ＰＨＹ１２１０は、ＣＬＰＩメモリカード３０１がパーソナルコンピュータ２０１に接続された場合に、ＵＳＢインターフェース用コネクタ３５２を介してデータ転送を行う。ＵＬＰＩ・ＰＨＹの機能を有する回路１２１１を含むＬＳＩ等で構成される。
【００６７】
１２２０はメモリカードの動作制御を行うＡＳＩＣであり、ＣＬＰＩメモリカード３０１がデジタルカメラ１０１に接続された場合に、ＣＬＰＩインターフェース用コネクタ３５４を介してデータ転送を行う。
【００６８】
ＡＳＩＣ１２２０は、ＵＬＰＩ・ＬＩＮＫの機能を有する回路１１０７を、少なくとも一つ以上搭載する。そして、デジタルカメラ１０１側のＵＬＰＩ・ＰＨＹ１１０３とのデータ転送を、ＣＬＰＩ／ＵＬＰＩ変換回路１１１０及びＣＬＰＩインターフェース用コネクタ３５４を介して行う。
【００６９】
さらにＡＳＩＣ１２２０は、フラッシュメモリ１１０１へのアクセス、ＣＬＰＩメモリカード３０１の接続先がパーソナルコンピュータ２０１なのかデジタルカメラ１０１なのかの判定等を行う。そして、接続先に応じて、後述する電源制御回路１１０２への指示あるいは、ＵＳＢインターフェース用コネクタ３５２及びＣＬＰＩインターフェース用コネクタ３５４の端子制御を行う。
【００７０】
フラッシュメモリ１１０１は、半導体メモリ等で構成される記録素子である。
【００７１】
次に、図４に、デジタルカメラ１０１の構成図を示す。
【００７２】
図４において、４０２は、ＣＣＤあるいＣＭＯＳなどに代表される光を電気信号に変換する撮像素子である。
【００７３】
４０２ａは、撮像素子４０２から出力されるアナログ画像信号をデジタルデータに変換するＡ／Ｄ変換器である。
【００７４】
４０３は、Ａ／Ｄ変換器４０２ａから出力された画像データに対して、ガンマ補正、色補正、補間処理などを行う信号処理回路である。
【００７５】
４０４は、ＪＰＥＧなどの圧縮処理を行う圧縮回路である。
【００７６】
４０５は、撮影した画像データ等を一時的に記録したり、ＣＰＵ４０６の作業領域等に使用されるメモリ及びメモリ制御回路である。
【００７７】
４０６は、デジタルカメラ１０１の動作制御を行うＣＰＵである。
【００７８】
４０７は、ＵＳＢで通信を行うためのＵＳＢ−ＰＨＹである。
【００７９】
４０８は、画像表示あるいはメッセージ表示などに使用される表示装置でＬＣＤ等により構成される。
【００８０】
４０９は、画像データを転送するためのデータバスである。
【００８１】
４１１は、ＣＬＰＩメモリカード３０１が所定の位置に挿入された場合にＯＮになるメディア検出スイッチである。ＣＰＵ４０６はメディア検出スイッチ４１１を監視することにより、ＣＬＰＩメモリカード３０１が所定の位置に挿入されているか否かを知ることができる。
【００８２】
４１２は、カード蓋１０６が閉められている場合にＯＮになるカード蓋検出スイッチである。ＣＰＵ４０６はカード蓋検出スイッチ４１２を監視することにより、カード蓋１０６が閉められているか否かを知ることができる。
【００８３】
図５Ａは、カメラのカードスロット１０４にＵＳＢメモリ３０２が挿入された様子を表している。
メディア検出スイッチ４１１はＵＳＢ端子が届かない位置に配置されている。そのため、ＵＳＢメモリ３０２が挿入された場合は、図５Ｃに示したメディア検出スイッチ４１１はＧＮＤ側にスイッチしたままであるため、ＣＰＵ４０６のＭＯＮ端子へはＧＮＤレベルが入力される。これにより、ＣＰＵ４０６はＵＳＢメモリが挿入されたと認識する。
【００８４】
図５Ｂは、カメラのカードスロット１０４にＣＬＰＩメモリカード３０１が挿入された様子を表している。
【００８５】
ＣＬＰＩメモリカードコネクタ３５０はメディア検出スイッチ４１１を押し込むには十分な長さがある。そのため、ＣＬＰＩメモリカード３０１が挿入された場合は、図５Ｃに示したメディア検出スイッチ４１１はＧＮＤ側からＶＣＣ側へスイッチし、ＣＰＵ４０６のＭＯＮ端子へはＶＣＣレベルが入力される。これにより、ＣＰＵ４０６はＣＬＰＩメモリカードが挿入されたと認識する。
【００８６】
図５Ｄは、カード識別後のメディア検出回路の状態を表している。
【００８７】
図５Ａの様にカードスロット１０４にＵＳＢメモリ３０２が挿入されたときは、セレクタ５０１においてＧＮＤレベルが選択され、カードスロット１０４のＶＣＣ端子にはＧＮＤレベルが出力される。
【００８８】
また、ＣＬＰＩメモリカード３０１が挿入されたときは、セレクタ５０１においてＶＣＣレベルが選択され、カードスロット１０４のＶＣＣ端子にはＶＣＣレベルが出力される。
【００８９】
図５Ｅは、カードスロット１０４にＵＳＢメモリ３０２が挿入された状態を上から見た図である。
【００９０】
ＵＳＢメモリ３０２の各端子幅は、カードスロット１０４の各端子３２０ｓ，３２１ｓ，３２２ｓ，…，３３２ｓ，３３３ｓのピン幅に対して十分に広いので、カードスロット１０４の複数ピン同士がＵＳＢメモリ３０２の端子を介してショートしている。
【００９１】
これを電気的に図示したのが図５Ｇである。図中でＭＯＮ端子にはＳＴＰ端子からの出力信号が帰還されて入力され、その電圧レベルでＣＰＵ４０６が接続メディアを識別する。同図では、ＧＮＤレベルがＭＯＮ端子から入力されている。
【００９２】
図５Ｆは、カードスロット１０４にＣＬＰＩメモリカード３０１が挿入された状態を上から見た図である。カードスロット１０４の各ピン３２０ｓ，３２１ｓ，３２２ｓ，…，３３２ｓ，３３３ｓのピン幅、ピンピッチはＣＬＰＩメモリカード３０１の端子幅、端子間隔と合致する。
【００９３】
これを電気的に図示したのが図５Ｈである。図中でＭＯＮ端子にはＳＴＰ端子からの出力信号が帰還されて入力され、その電圧レベルでＣＰＵ４０６が接続メディアを識別する。同図では、ＳＴＰ端子からの出力信号がそのままＭＯＮ端子に入力される。
【００９４】
図６Ａは、ＵＳＢメモリ３０２の挿入時における図５ＣのＭＯＮ端子への入力波形を表している。図５Ａでも説明したが、ＵＳＢメモリ３０２が挿入されてもメディア検出スイッチ４１１はＧＮＤ側を選択したままなのでＭＯＮ端子にはＧＮＤレベルが入力される。
【００９５】
図６Ｂは、ＣＬＰＩメモリカード３０１の挿入時における図５ＣのＭＯＮ端子への入力波形を表している。図５Ｂでも説明したが、ＣＬＰＩメモリカード３０１が挿入されるとメディア検出スイッチはＶＣＣ側へスイッチしてＭＯＮ端子へはＶＣＣレベルが入力される。
【００９６】
図６Ｂで、時刻ｔ１はカードスロット１０４へＣＬＰＩメモリカード３０１を完全に挿入し、メディア検出スイッチ４１１が切り替わった時刻を表す。この時刻ｔ１にＭＯＮ端子の電圧レベルがＶＣＣになることにより、ＣＰＵ４０６はＣＬＰＩメモリカード３０１の挿入を認識する。また、ＣＬＰＩメモリカード３０１が完全に挿入されないとＶＣＣレベルの電圧が印加されないため、ＣＬＰＩメモリカード３０１の挿抜動作中にピンと端子が接触することがあっても、電圧は印加されずにカードを故障から保護することができる。
【００９７】
図６Ｃ、図６Ｅは、図５Ｇ、図５Ｈにおいて、ＳＴＰ端子から出力される波形を表している。図中、時間ｔ２はＳＴＰ端子から信号が出力される期間を表している。
【００９８】
図６Ｄは、ＵＳＢメモリ３０２の挿入時のＭＯＮ端子への入力波形を表している。図６Ｄで、時間ｔ３は、時間ｔ２に対応して、ＭＯＮ端子へ波形が入力される期間を表している。
【００９９】
図５Ｅ、図５Ｇでも説明したが、カードスロット１０４のＧＮＤピンとＳＴＰピンはＵＳＢメモリ３０２のＧＮＤ端子を介してショートしているため、ＳＴＰ端子から図６Ｃの様な矩形波を出力しても、ＭＯＮ端子はＧＮＤレベルに保たれる。これにより、ＣＰＵ４０６はＵＳＢメモリ３０２が挿入されたと認識する。
【０１００】
図６Ｆは、ＣＬＰＩメモリカード３０１の挿入時のＭＯＮ端子への入力波形を表している。ＣＬＰＩインターフェースではＳＴＰ端子はカメラ側から見た場合は入力信号であるため、この端子への入力波形がカード内部へ入力される。
【０１０１】
当然、ＧＮＤ端子とも分離されているため、図５Ｈの様な電気的構造をとることで、ＭＯＮ端子の電圧入力レベルを検出して、カードスロット１０４に挿入されているカード上でＧＮＤピンとＳＴＰピンがショートしているかどうかが識別可能になる。
【０１０２】
図６ＦではＳＴＰ端子からの出力波形とＭＯＮ端子への入力波形が合致することから、ＣＬＰＩメモリカード３０１が挿入されていることを認識することができる。
【０１０３】
次に、図７に、デジタルカメラ１０１の撮影時の動作のフローチャートを示す。
【０１０４】
ＣＰＵ４０６は、カード蓋検出スイッチ４１２の状態を監視し（ステップＳ７０１）、カード蓋１０６がＯＰＥＮの状態であれば、引き続きカード蓋１０６の状態を監視する。また、カード蓋１０６がＣＬＯＳＥの状態であれば、ＣＬＰＩメモリカード３０１の挿入状態の確認を行う。
【０１０５】
ＣＰＵ４０６は、メモリカード検出スイッチ４１１の状態を確認する（ステップＳ７０２）。そして、ＣＬＰＩメモリカード３０１が所定の位置まで挿入されていることが確認できない場合には、表示装置４０８にメモリカード未検出の表示を行い（ステップＳ７２１）、終了する。一方、ＣＬＰＩメモリカード３０１が所定の位置に挿入されていることが確認できた場合、ＣＰＵ４０６は、ＣＬＰＩメモリカード３０１の電源端子３２０に所定の電圧を供給する（ステップＳ７０３）。
【０１０６】
ＣＰＵ４０６は、ＣＬＰＩ端子３２１〜３３２の中から、少なくとも一つ以上の端子状態を確認してＣＬＰＩメモリカード３０１の判別を行う（ステップＳ７０４）。そして、挿入されているＣＬＰＩメモリカード３０１がＣＬＰＩ対応のメモリカードであることを確認できない場合には、表示装置４０８にメモリカードエラーの表示を行う（ステップＳ７２０）。さらに、ＣＬＰＩメモリカード３０１への電圧供給を停止（ステップＳ７４０）して、終了する。
【０１０７】
一方、挿入されているＣＬＰＩメモリカード３０１が、ＣＬＰＩ対応のメモリカードであることを確認できた場合、ＣＰＵ４０６は、ＣＬＰＩメモリカード３０１のＣＬＰＩ端子３２１〜３３２を介して、ＣＬＰＩメモリカード３０１の初期化を行う。これはステップＳ７０６で行われる。
【０１０８】
ＣＬＰＩメモリカード３０１の判別に関するさらに詳細な説明は、図１０を参照して後述する。
【０１０９】
ＣＰＵ４０６は、ＣＬＰＩメモリカード３０１にアクセスして空き容量の確認を行う（ステップＳ７０７）。そして、撮影に必要な空き容量が無い場合には、表示装置４０８にメモリカードフルの表示を行い（ステップＳ７３０）、ＣＬＰＩメモリカード３０１への電圧供給を停止（ステップＳ７４０）して、終了する。
【０１１０】
ＣＬＰＩメモリカード３０１に撮影に必要な空き容量が存在する場合には、ＣＰＵ４０６は、再びカード蓋検出スイッチ４１２の状態を確認する（ステップＳ７０８）。そして、カード蓋１０６がＯＰＥＮの状態であれば、ＣＬＰＩメモリカード３０１への電圧供給を停止（ステップＳ７４０）して、終了する。
【０１１１】
カード蓋１０６がＣＬＯＳＥの状態であれば、ＣＰＵ４０６はレリーズスイッチ１０２の状態を監視し（ステップＳ７０９）、レリーズスイッチが押されていない場合には、再びカード蓋検出スイッチ４１２の状態を確認する。
【０１１２】
レリーズスイッチ１０２が押されていた場合、ＣＰＵ４０６は、レンズ１０３を介して撮像素子４０２に露光を行う（ステップＳ７１０）。
【０１１３】
撮像素子４０２から出力され、デジタルデータに変換された画像データに対して、信号処理回路４０３及び圧縮処理回路４０４において、ガンマ変換、色補正、補間処理等の画像処理と、ＪＰＥＧ処理等の圧縮処理が行われる（ステップＳ７１１）。そして、メモリ回路４０５に記録される。
【０１１４】
ＣＰＵ４０６は、記録された画像データをメモリ回路４０５から読み出し、カードスロット１０４を介して、ＣＬＰＩメモリカード３０１へ書き込み（ステップＳ７１２）、再びメモリカードの空き容量判定を行う（ステップＳ７０７）。
【０１１５】
図８Ａ、図８Ｂは、ＣＬＰＩメモリカード３０１側のＵＳＢ／ＣＬＰＩ検出回路を示す図である。
【０１１６】
図８ＡはＡＳＩＣ１２２０の外にプルアップ抵抗またはプルダウン抵抗がある場合を示しており、図８ＢはＡＳＩＣ１２２０内部にプルアップ抵抗またはプルダウン抵抗がある場合を示している。
【０１１７】
図８Ａにおいて、ＵＳＢプルアップ制御信号８０６で、ＵＳＢプルアップ切り替えスイッチ８０５を切り替え、ＵＳＢ信号（Ｄ−信号３１１）のプルアップのＯＮ／ＯＦＦを制御する。ＵＳＢプルアップ制御信号８０６がＯＮのときは、ＵＳＢプルアップ抵抗８０４経由でＶＣＣレベルへプルアップする。
【０１１８】
また、ＵＳＢプルダウン制御信号８０９で、ＵＳＢプルダウン切り替えスイッチ８０８を切り替え、ＵＳＢプルダウン制御信号８０９がＯＮのときはＵＳＢプルダウン抵抗８０７経由でＧＮＤレベルへプルダウンする。
【０１１９】
図８Ａにおいて、ＵＳＢ信号を代表してＤ−信号３１１しか記載していないが、Ｄ＋信号３１２に対しても同じ回路構成となる。
【０１２０】
ＣＬＰＩプルアップ制御信号８１２で、ＣＬＰＩプルアップ切り替えスイッチ８１１を切り替え、ＣＬＰＩ信号（Ｄ０信号３２１）のプルアップのＯＮ／ＯＦＦを制御する。ＣＬＰＩプルアップ制御信号８１２がＯＮのときはＣＬＰＩプルアップ抵抗８１０経由でＶＣＣレベルへプルアップする。
【０１２１】
また、ＣＬＰＩプルダウン制御信号８１５で、ＣＬＰＩプルダウン切り替えスイッチ８１４を切り替え、ＣＬＰＩプルダウン制御信号８１５がＯＮのときはＣＬＰＩプルダウン抵抗８１３経由でＧＮＤレベルへプルダウンする。
【０１２２】
図８Ａにおいて、ＣＬＰＩ信号を代表してＤ０信号３２１しか記載していないが、Ｄ０信号３２１以外の信号についても同様の回路構成となる。
【０１２３】
図８Ａのようにプルアップ抵抗とプルダウン抵抗をメモリカード内のＡＳＩＣ外部に持つことでＡＳＩＣのチップサイズを削減し、ＡＳＩＣのコストを抑えることができる。なお、プルアップまたはプルダウンする信号とそのタイミングについては、図９Ａ〜図９Ｆと図１０を参照して後述する。
【０１２４】
図８Ｂにおいて、ＡＳＩＣ内部ＵＳＢプルアップ制御信号８２２で、ＡＳＩＣ内部ＵＳＢプルアップ切り替えスイッチ８２１を切り替え、ＵＳＢ信号（Ｄ−信号３１１）のプルアップのＯＮ／ＯＦＦを制御する。図８Ｂにおいて、ＵＳＢ信号を代表してＤ−信号３１１しか記載していないが、Ｄ＋信号３１２に対しても同じ回路構成となる。
【０１２５】
ＡＳＩＣ内部ＵＳＢプルアップ制御信号８２２がＯＮのときはＡＳＩＣ内部ＵＳＢプルアップ抵抗８２０経由でＶＣＣレベルへプルアップする。
【０１２６】
また、ＡＳＩＣ内部ＵＳＢプルダウン制御信号８２５で、ＡＳＩＣ内部ＵＳＢプルダウン切り替えスイッチ８２４を切り替える。即ち、ＡＳＩＣ内部ＵＳＢプルダウン制御信号８２５がＯＮのときはＡＳＩＣ内部ＵＳＢプルダウン抵抗８２３経由でＧＮＤレベルへプルダウンする。
【０１２７】
ＡＳＩＣ内部ＣＬＰＩプルアップ制御信号８２８で、ＡＳＩＣ内部ＣＬＰＩプルアップ切り替えスイッチ８２７を切り替え、ＣＬＰＩ信号（Ｄ０信号３２１）のプルアップのＯＮ／ＯＦＦを制御する。
【０１２８】
ＡＳＩＣ内部ＣＬＰＩプルアップ制御信号８２８がＯＮのときはＡＳＩＣ内部ＣＬＰＩプルアップ抵抗８２６経由でＶＣＣレベルへプルアップする。
【０１２９】
また、ＡＳＩＣ内部ＣＬＰＩプルダウン制御信号８３１で、ＡＳＩＣ内部ＣＬＰＩプルダウン切り替えスイッチ８３０を切り替える。即ち、ＡＳＩＣ内部ＣＬＰＩプルダウン制御信号８３１がＯＮのときはＡＳＩＣ内部ＣＬＰＩプルダウン抵抗８２９経由でＧＮＤレベルへプルダウンする。
【０１３０】
図８Ｂにおいて、ＣＬＰＩ信号を代表してＤ０信号３２１しか記載していないが、Ｄ０信号３２１以外の信号についても同様の回路構成となる。
【０１３１】
図８Ｂのようにプルアップ抵抗とプルダウン抵抗をメモリカード内のＡＳＩＣ内部に持つことで外部部品を削減でき、メモリカードの基板サイズを小さくすることができる。なお、プルアップまたはプルダウンする信号とそのタイミングについては、図９Ａ〜図９Ｆと図１０を参照して後述する。
【０１３２】
また、図８Ａと図８Ｂでは、ＵＳＢ信号とＣＬＰＩ信号をプルアップとプルダウンする位置がＡＳＩＣの外部と内部という違いがあるが、論理的には同じであるので特に断りのない限り、以下では図８Ａの構成に対して説明を加える。
【０１３３】
図９Ａ〜図９Ｆは、ＣＬＰＩメモリカード３０１の端子位置とＵＳＢ／ＣＬＰＩインターフェース検出の電気的なタイミングを表した図である。
【０１３４】
図９Ａは、ＣＬＰＩメモリカード３０１のＧＮＤ端子３１３の奥にＣＬＰＩ端子がある場合を示す図である。
【０１３５】
ＳＴＰ端子挿入経路９０１は、カメラ１０１のＳＴＰ端子がＣＬＰＩメモリカード３０１のＳＴＰ端子３３２と接触するまでの挿入経路を表している。
【０１３６】
ＮＸＴ端子挿入経路９０２は、カメラ１０１のＮＸＴ端子がＣＬＰＩメモリカード３０１のＮＸＴ端子３３１と接触するまでの挿入経路を表している。
【０１３７】
図９Ｂ（ａ）はＣＬＰＩ検出時のＳＴＰ端子３３２とＮＸＴ端子３３１の時間変化を表しており、図９Ｂ（ｂ）はＣＬＰＩプルアップ制御信号８１２の時間変化を表している。また、図９Ｂ（ａ）はＳＴＰ端子３３２とＮＸＴ端子３３１だけでなく、ＣＬＰＩメモリカード３０１でプルアップしている信号のタイミングも表している。
【０１３８】
図９Ｃ（ａ）はＵＳＢ検出時のＳＴＰ端子３３２とＮＸＴ端子３３１の時間変化を表しており、図９Ｃ（ｂ）はＣＬＰＩプルダウン制御信号８１５の時間変化を表している。また、図９Ｃ（ａ）はＳＴＰ端子３３２とＮＸＴ端子３３１だけでなく、ＣＬＰＩメモリカード３０１でプルアップしている信号のタイミングも表している。
【０１３９】
これらの図において、時刻ｔ０は、ＣＬＰＩメモリカード３０１へ電源が供給された時刻である。時刻ｔ１で、ＣＬＰＩ端子の状態をチェックする。時刻ｔ２で、ＵＳＢ端子の処理とＣＬＰＩ端子の処理を行い、使用しないインターフェース回路をディスエーブル処理する。時刻ｔ１とｔ２で行う処理の詳細は図１０を参照して後述する。
【０１４０】
図９Ｄは、ＣＬＰＩメモリカード３０１のＶＣＣ端子３１０の奥にＣＬＰＩ端子がある場合を示す図である。
【０１４１】
Ｄ１端子挿入経路９１１は、カメラ１０１のＤ１端子がＣＬＰＩメモリカード３０１のＤ１端子３２２と接触するまでの挿入経路を表している。
【０１４２】
Ｄ０端子挿入経路９１２は、カメラ１０１のＤ０端子がＣＬＰＩメモリカード３０１のＤ０端子３２１と接触するまでの挿入経路を表している。
【０１４３】
図９Ｅ（ａ）はＣＬＰＩ検出時のＤ０端子３２１とＤ１端子３２２の時間変化を表しており、図９Ｅ（ｈ）はＣＬＰＩプルアップ制御信号８１２の時間変化を表している。また、図９Ｅ（ａ）はＤ０端子３２１とＤ１端子３２２だけでなく、ＣＬＰＩメモリカード３０１でプルダウンしている信号のタイミングも表している。
【０１４４】
図９Ｆ（ａ）はＵＳＢ検出時のＤ０端子３２１とＤ１端子３２２の時間変化を表しており、図９Ｆ（ｂ）はＣＬＰＩプルダウン制御信号８１５の時間変化を表している。また、図９Ｆ（ａ）はＤ０端子３２１とＤ１端子３２２だけでなく、ＣＬＰＩメモリカード３０１でプルダウンしている信号のタイミングも表している。
【０１４５】
時刻ｔ０、ｔ１、ｔ２の意味については上述した内容と同じであるので省略する。
【０１４６】
図１０はＣＬＰＩメモリカード３０１におけるＵＳＢ／ＣＬＰＩインターフェースの検出フローを表した図である。
【０１４７】
図７のステップＳ７０３においてメモリカードへの電源供給が開始された後、ＣＬＰＩメモリカード３０１はＣＬＰＩ信号をプルアップまたはプルダウンする（ステップＳ１００２）。図９Ａ〜図９Ｆでは時刻ｔ０にあたる。
【０１４８】
ＣＬＰＩ信号のプルアップまたはプルダウンのどちらを選択するかは以下のようにして決定する。
【０１４９】
図９ＡのＳＴＰ端子挿入経路９０１、ＮＸＴ端子挿入経路９０２で図示されているとおり、カメラ１０１側のＳＴＰ端子とＮＸＴ端子は一度ＧＮＤ端子３１３に接触してから、ＣＬＰＩメモリカード３０１のＳＴＰ端子３３２とＮＸＴ端子３３１に接触する。そのため、これらの端子をＨＩＧＨにドライブした状態のカメラ１０１にＣＬＰＩメモリカード３０１を挿入すると挿入途中で一時的に電気的にショートしてしまいカメラ１０１とＣＬＰＩメモリカード３０１の双方に損傷を与える恐れがある。従って、カメラ１０１ではこれらの端子をＬＯＷドライブする。
【０１５０】
カメラ１０１に挿入されたことを検出するために、ＳＴＰ端子３３２とＮＸＴ端子３３１は、ＣＬＰＩプルアップ制御信号８１２をＯＮしてプルアップしておく。
【０１５１】
また、図９ＤのＤ１端子挿入経路９１１、Ｄ０端子挿入経路９１２で図示されているとおり、カメラ１０１側のＤ０端子とＤ１端子は一度ＶＣＣ端子３１０に接触してから、ＣＬＰＩメモリカード３０１のＤ１端子３２２とＤ０端子３２１に接触する。そのため、これらの端子をＬＯＷにドライブした状態のカメラ１０１にＣＬＰＩメモリカード３０１を挿入すると挿入途中で一時的に電気的にショートしてしまいカメラ１０１とＣＬＰＩメモリカード３０１の双方に損傷を与える恐れがある。従って、カメラ１０１ではこれらの端子をＨＩＧＨドライブする。
【０１５２】
カメラ１０１に挿入されたことを検出するために、Ｄ１端子３２２とＤ０端子３２１は、ＣＬＰＩプルダウン制御信号８１５をＯＮしてプルダウンしておく。
【０１５３】
上記説明に該当しない端子については、プルアップとプルダウンのどちらを選択してもよい。
【０１５４】
まず、ＣＬＰＩメモリカード３０１へ電源が供給されてから所定時間待機した後（ステップＳ１００３）、ＣＬＰＩ端子の状態を調べる（ステップＳ１００４）。図９Ａ〜図９Ｆでは時刻ｔ１にあたる。
【０１５５】
ＣＬＰＩメモリカード３０１がＣＬＰＩ端子を持つカメラ１０１に挿入された場合は、ＣＬＰＩメモリカード３０１でプルアップしていた信号がカメラ１０１でＬＯＷにドライブされる（図９Ｂ（ａ））。また、プルダウンしていた信号がＨＩＧＨにドライブされる（図９Ｅ（ａ））。
【０１５６】
また、ＵＳＢインターフェースを持つパーソナルコンピュータ２０１に挿入された場合には、ＣＬＰＩ端子は接触しないのでＣＬＰＩ端子の状態は変化しない（図９Ｃ（ａ）、図９Ｆ（ａ））。
【０１５７】
従って、ステップＳ１００４ではＣＬＰＩ端子の状態変化がなかった場合には、ＣＬＰＩインターフェースを持たないパーソナルコンピュータ２０１に挿入されたと判断してＵＳＢインターフェースを用いて通信をすべくステップＳ１０１０に遷移する。そして、ＵＳＢのモードに応じて、Ｄ＋端子３１２、Ｄ−端子３１１のどちらかをプルアップする（ステップＳ１０１０）。
【０１５８】
またＣＬＰＩインターフェース回路へのクロック供給を止め（ステップＳ１０１２）、さらに電源供給を止めることで（ステップＳ１０１３）で消費電力を抑える。
【０１５９】
最後にＵＳＢインターフェースの初期化処理を行った後（ステップＳ１０２４）、パーソナルコンピュータ２０１からのアクセス待ち状態（ステップＳ１０３０）へ遷移する。
【０１６０】
また、ステップＳ１００４でＣＬＰＩ端子の状態に変化があった場合には、ＣＬＰＩインターフェースをもつカメラ１０１に挿入されたと判断し、ＣＬＰＩインターフェースを用いて通信すべくステップＳ１０２０に遷移する。
【０１６１】
ＣＬＰＩ信号をプルダウンもプルアップもせず直接カメラ側と接続するために、ＣＬＰＩプルアップ制御信号８１２とＣＬＰＩプルダウン制御信号８１５の両方をＯＦＦにする（ステップＳ１０２０、図９Ｂ（ｂ）、図９Ｅ（ｂ））。
【０１６２】
使用しないＵＳＢインターフェースのＤ−信号３１１，Ｄ＋信号３１２はＵＳＢプルダウン制御信号８０９をＯＮしてプルダウンする（ステップＳ１０２１）。
【０１６３】
また、ＵＳＢインターフェース回路へのクロック供給を止め（ステップＳ１０２２）、さらに電源供給を止めることで（ステップＳ１０２３）で消費電力を抑える。
【０１６４】
最後にＣＬＰＩインターフェースの初期化処理を行った後（ステップＳ１０２４）、カメラ１０１からのアクセス待ち状態（ステップＳ１０３０）へ遷移する。
【０１６５】
本実施形態のＣＬＰＩメモリカードの構成を図１１Ａ〜図１１Ｇ、図１２Ａ〜図１２Ｇ、図１３Ａ〜図１３Ｄに従って説明する。
【０１６６】
図１２Ａ〜図１２Ｇに示すＣＬＰＩメモリカードは、フラッシュメモリ１１０１、電源制御回路１１０２、ＣＬＰＩメモリカードコネクタ３５０、ＰＨＹチップ１２１０を備える。また、ＡＳＩＣ（Application Specific Integrated Circuit：特定用途向け集積回路）、ＣＬＰＩ／ＵＬＰＩ変換回路１１１０も備える。
【０１６７】
ＡＳＩＣは、２つのＵＬＰＩインターフェースを備える。ＡＳＩＣの１つのＵＬＰＩインターフェースはＰＨＹチップ１２１０に接続され、もう１つのＵＬＰＩインターフェースはＣＬＰＩ／ＵＬＰＩ変換回路１１１０経由でＣＬＰＩインターフェース用コネクタ３５４に接続される。
【０１６８】
ＣＬＰＩ／ＵＬＰＩ変換回路１１１０はＡＳＩＣが出力したＵＬＰＩのデータ形式をＣＬＰＩのデータ形式に変換し、ＣＬＰＩインターフェース用コネクタ３５４から入力されたＣＬＰＩのデータ形式をＵＬＰＩのデータ形式に変換する回路である。また、ＣＬＰＩ／ＵＬＰＩ変換回路１１１０は、ＵＬＰＩインターフェースとは別のＵＬＰＩにはないＣＬＰＩのプロトコルを補うための信号ＩＮＩＴ＿ＣＴＲＬにより外部装置がＣＬＰＩインターフェース用コネクタ３５４に接続された直後に行う初期化の制御を行う。初期化とは、メモリカードに接続された外部装置とＡＳＩＣの接続関係が、ＵＬＰＩ・ＬＩＮＫとＵＬＰＩ・ＰＨＹの接続関係になるようにＣＬＰＩインターフェースを通して、メモリカードに接続した外部装置又はメモリカードが主体となり調停することをいう。またＡＳＩＣはフラッシュメモリ１１０１に接続される。
【０１６９】
ＰＨＹチップ１２１０はＵＳＢインターフェース用コネクタ３５２に接続される。このメモリカード構成では、最大４８０Ｍｂｐｓでデータ転送を行うＰＨＹをＡＳＩＣの外に出し、実績のあるＰＨＹチップを使うことにより、ＡＳＩＣまたはパッケージで起こるノイズの問題を回避できる。また、２つのＵＬＰＩインターフェースを備えることによりバス制御が容易になる。また、ＡＳＩＣは、メモリカードに接続される外部装置がＵＳＢまたはＣＬＰＩであっても、フラッシュメモリ１１０１へデータ転送するために処理するデータ形式はＵＬＰＩなので、回路設計が容易になる。
【０１７０】
上記の構成において、ＣＬＰＩメモリカードコネクタ３５０に接続される外部装置インターフェースとメモリカード内の構成例を、図１２Ａから図１２Ｇを参照して説明する。
【０１７１】
ＵＬＰＩ・ＰＹＨとＵＬＰＩ・ＬＩＮＫについて説明する。
【０１７２】
ＵＳＢ２．０の規格に物理層とリンク層はＵＴＭＩ（USB2.0 Transceiver Macrocell Interface）でデータ転送を行う仕様があり、最低でも２２本の信号を必要とする。物理層とリンク層間の信号数を削減するため、ＵＬＰＩ（UTMI+Low Pin Interface）規格が制定され、ＵＴＭＩにラッパー回路を追加することにより信号数を８本、又は１６本まで削減することが可能になる。ＰＨＹ側のラッパー回路をＵＬＰＩ・ＰＹＨ、ＬＩＮＫ側のラッパー回路をＵＬＰＩ・ＬＩＮＫと呼ぶ。
【０１７３】
また、ＵＬＰＩモジュールとは、モジュール・アービターによりＵＬＰＩ・ＬＩＮＫをＣＬＰＩインターフェースに接続するか、ＵＬＰＩ・ＰＨＹをＣＬＰＩインターフェースに接続するかを切り替える機能を持つモジュールをいう。
【０１７４】
図１２Ａは、ＣＬＰＩメモリカードコネクタ３５０にＵＬＰＩ・ＰＨＹ１１０３をＣＬＰＩ／ＵＬＰＩ変換回路１１１０を経由して接続し、ＡＳＩＣ１２２０は、ＵＬＰＩ・ＬＩＮＫ１１０７を備える形態である。ＣＬＰＩメモリカードコネクタ３５０に接続される外部装置がＵＳＢであるときは、ＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときは、ＣＬＰＩインターフェース用コネクタ３５４を経由し、ＵＬＰＩ・ＬＩＮＫ１１０７とＵＬＰＩ・ＰＨＹ１１０３間でデータ転送を行う。
【０１７５】
図１２Ｂは、ＣＬＰＩメモリカードコネクタ３５０にＵＬＰＩ・ＬＩＮＫ１１０４をＣＬＰＩ／ＵＬＰＩ変換回路１１１０を経由して接続し、ＡＳＩＣ１２３０は、ＵＬＰＩ・ＬＩＮＫ１１０７とＵＬＰＩ・ＰＨＹ１１０６を備える形態である。ＣＬＰＩメモリカードコネクタ３５０に接続される外部装置がＵＳＢであるときはＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときはＣＬＰＩインターフェース用コネクタ３５４を経由し、ＵＬＰＩ・ＰＨＹ１１０６とＵＬＰＩ・ＬＩＮＫ１１０４間でデータ転送を行う。
【０１７６】
図１２Ｃは、ＣＬＰＩメモリカードコネクタ３５０にＵＬＰＩモジュール１１５０をＣＬＰＩ／ＵＬＰＩ変換回路１１１０を経由して接続し、メモリカードは図１２Ａと同じ構成の形態である。ＣＬＰＩメモリカードコネクタ３５０に接続される外部装置がＵＳＢであるときはＰＨＹチップ１２１０を経由しＵＬＰＩ・ＬＩＮＫ１１０７とＵＳＢインターフェース用コネクタ３５２間でデータ転送を行う。ＣＬＰＩメモリカードコネクタ３５０に接続される外部装置がＣＬＰＩであるときは、まずＵＬＰＩモジュール１１５０とＡＳＩＣ１２２０間で初期化を行う。その後ＵＬＰＩモジュール１１５０は、モジュール・アービター１１５３によってＵＬＰＩ・ＰＨＹ１１５１が選択され、ＡＳＩＣ１２２０のＵＬＰＩ・ＬＩＮＫ１１０７間でデータ転送を行う。
【０１７７】
図１２Ｄは、ＣＬＰＩメモリカードコネクタ３５０にＵＬＰＩモジュール１１５０をＣＬＰＩ／ＵＬＰＩ変換回路１１１０を経由して接続し、メモリカードは図１２Ｂと同じ構成の形態である。ＣＬＰＩメモリカードコネクタ３５０に接続される外部装置がＵＳＢであるときはＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときは、まずＵＬＰＩモジュール１１５０とＡＳＩＣ１２３０間で初期化を行う。その後ＵＬＰＩモジュール１１５０は、モジュール・アービター１１５３によってＵＬＰＩ・ＬＩＮＫ１１５２が選択され、ＡＳＩＣ１２３０のＵＬＰＩ・ＰＨＹ１１０６間でデータ転送を行う。
【０１７８】
図１２Ｅは、ＣＬＰＩメモリカードコネクタ３５０にＵＬＰＩ・ＰＨＹ１１０３をＣＬＰＩ／ＵＬＰＩ変換回路１１１０を経由して接続する形態である。そして、ＡＳＩＣ１２４０は、ＵＬＰＩ・ＬＩＮＫ１１０７とＵＬＰＩ・ＰＹＨ１１０６とモジュール・アービター１１０９を備える。モジュール・アービター１１０９は、ＰＨＹチップ１２１０とＵＬＰＩ・ＬＩＮＫ１１０７間の接続、又は、ＡＳＩＣ１２４０のＵＬＰＩ端子とＵＬＰＩ・ＬＩＮＫ１１０７又はＵＬＰＩ・ＰＨＹ１１０６間の接続を選択できる機能を持つ。ＣＬＰＩメモリカードコネクタ３５０に接続される外部装置がＵＳＢであるときはＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときは、まずＵＬＰＩ・ＰＨＹ１１０３とＡＳＩＣ１２４０間で初期化を行う。その後ＡＳＩＣ１２４０は、モジュール・アービター１１０９によりＵＬＰＩ・ＬＩＮＫ１１０７が選択され、ＵＬＰＩ・ＰＨＹ１１０３間でデータ転送を行う。
【０１７９】
図１２Ｆは、ＣＬＰＩメモリカードコネクタ３５０にＵＬＰＩ・ＬＩＮＫ１１０４をＣＬＰＩ／ＵＬＰＩ変換回路１１１０を経由して接続し、メモリカードは図１２Ｅと同じ構成の形態である。ＣＬＰＩメモリカードコネクタ３５０に接続される外部装置がＵＳＢであるときはＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときは、まずＵＬＰＩ・ＬＩＮＫ１１０４とＡＳＩＣ１２４０間で初期化を行う。その後ＡＳＩＣ１２４０は、モジュール・アービター１１０９によりＵＬＰＩ・ＰＨＹ１１０６が選択され、ＵＬＰＩ・ＬＩＮＫ１１０４間でデータ転送を行う。
【０１８０】
図１２Ｇは、ＣＬＰＩメモリカードコネクタ３５０にＵＬＰＩモジュール１１５０をＣＬＰＩ／ＵＬＰＩ変換回路１１１０を経由して接続し、メモリカードは図１２Ｅと同じ構成の形態である。ＣＬＰＩメモリカードコネクタ３５０に接続される外部装置がＵＳＢであるときはＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときは、まずＵＬＰＩモジュール１１５０とＡＳＩＣ１２４０間で初期化を行う。その後ＵＬＰＩモジュール１１５０がＵＬＰＩ・ＰＨＹ１１５１のときは、ＡＳＩＣ１２４０のＵＬＰＩ・ＬＩＮＫ１１０７間でデータ転送を行う。また、ＵＬＰＩモジュール１１５０がＵＬＰＩ・ＬＩＮＫ１１５２のときは、ＡＳＩＣ１２４０のＵＬＰＩ・ＰＨＹ１１０６間でデータ転送を行う。
【０１８１】
図１３Ａ〜図１３Ｄは、フラッシュメモリ１１０１、電源制御回路１１０２、ＣＬＰＩメモリカードコネクタ３５０、ＰＨＹチップ１２１０、ＡＳＩＣ１３１０、ＣＬＰＩ／ＵＬＰＩ変換回路１１１０を備える構成である。
【０１８２】
ＡＳＩＣ１３１０は、１つのＵＬＰＩインターフェースとＵＬＰＩ・ＬＩＮＫ１１０７を備える。ＡＳＩＣ１３１０のＵＬＰＩインターフェースはＰＨＹチップ１２１０と、ＣＬＰＩ／ＵＬＰＩ変換回路１１１０を経由して、ＵＳＢインターフェース用コネクタ３５２とＣＬＰＩインターフェース用コネクタ３５４の２つに接続する。
【０１８３】
ＣＬＰＩ／ＵＬＰＩ変換回路１１１０は、ＵＬＰＩインターフェースとは別のＵＬＰＩにはないＣＬＰＩのプロトコルを補うための信号ＩＮＩＴ＿ＣＴＲＬにより外部装置がＣＬＰＩインターフェース用コネクタ３５４に接続された直後に行う初期化の制御を行う。またＡＳＩＣ１３１０はフラッシュメモリ１１０１に接続される。
【０１８４】
ＰＨＹチップ１２１０はＵＳＢインターフェース用コネクタ３５２に接続する。このメモリカード構成では、ＵＬＰＩインターフェースを共有化することにより、ＡＳＩＣの端子数を削減でき、コスト削減に貢献できる。また、ＡＳＩＣ１３１０は、メモリカードに接続する外部装置がＵＳＢまたはＣＬＰＩであっても、フラッシュメモリ１１０１へデータ転送するために処理するデータ形式はＵＬＰＩなので、回路設計が容易になる。
【０１８５】
上記の構成において、ＣＬＰＩメモリカードコネクタ３５０に接続される外部装置インターフェースとメモリカード内の構成例を、図１３Ａ〜図１３Ｄを参照して説明する。
【０１８６】
図１３Ａは、ＣＬＰＩメモリカードコネクタ３５０にＵＬＰＩ・ＰＨＹ１１０３をＣＬＰＩ／ＵＬＰＩ変換回路１１１０を経由して接続する形態である。ＣＬＰＩメモリカードコネクタ３５０に接続される外部装置がＵＳＢであるときはＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときはＣＬＰＩインターフェース用コネクタ３５４を経由し、ＵＬＰＩ・ＬＩＮＫ１１０７とＵＬＰＩ・ＰＨＹ１１０３間でデータ転送を行う。このとき、ＵＬＰＩインターフェースで競合が起こらないように、ＰＨＹチップ１２１０への電源供給を停止する。または、ＰＨＹチップ１２１０のＵＬＰＩインターフェースのバスをオープンにする。
【０１８７】
図１３Ｂは、ＣＬＰＩメモリカードコネクタ３５０にＵＬＰＩモジュール１１５０をＣＬＰＩ／ＵＬＰＩ変換回路１１１０を経由して接続する形態である。ＣＬＰＩメモリカードコネクタ３５０に接続される外部装置がＵＳＢであるときはＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときは、まずＵＬＰＩモジュール１１５０とＡＳＩＣ１３１０間で初期化を行う。その後ＵＬＰＩモジュール１１５０は、モジュール・アービター１１５３によってＵＬＰＩ・ＰＨＹ１１５１が選択され、ＡＳＩＣ１３１０のＵＬＰＩ・ＬＩＮＫ１１０７間でデータ転送を行う。このとき、ＵＬＰＩインターフェースで競合が起こらないように、ＰＨＹチップ１２１０への電源供給を停止する。または、ＰＨＹチップ１２１０のＵＬＰＩインターフェースのバスをオープンにする。
【０１８８】
図１３Ｃは、図１３ＡのＵＬＰＩの基板配線上に、スイッチ１３０１とスイッチ１３０２を追加した形態である。ＣＬＰＩメモリカードコネクタ３５０に接続される外部装置がＵＳＢであるときはスイッチ１３０１をＯＮ、スイッチ１３０２をＯＦＦする。そして、ＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときはスイッチ１３０１をＯＦＦ、スイッチ１３０２をＯＮする。そして、ＣＬＰＩインターフェース用コネクタ３５４を経由し、ＵＬＰＩ・ＬＩＮＫ１１０７とＵＬＰＩ・ＰＨＹ１１０３間でデータ転送を行う。
【０１８９】
図１３Ｄは、図１３ＢのＵＬＰＩの基板配線上に、スイッチ１３０１とスイッチ１３０２を追加した形態である。ＣＬＰＩメモリカードコネクタ３５０に接続される外部装置がＵＳＢであるときはスイッチ１３０１をＯＮ、スイッチ１３０２をＯＦＦする。そして、ＰＨＹチップ１２１０を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときはスイッチ１３０１をＯＦＦ、スイッチ１３０２をＯＮする。そして、ＵＬＰＩモジュール１１５０とＡＳＩＣ１３１０間で初期化を行う。その後ＵＬＰＩモジュール１１５０は、モジュール・アービター１１５３によってＵＬＰＩ・ＰＨＹ１１５１が選択され、ＡＳＩＣ１３１０のＵＬＰＩ・ＬＩＮＫ１１０７間でデータ転送を行う。
【０１９０】
図１１Ａ〜図１１Ｇは、フラッシュメモリ１１０１、電源制御回路１１０２、ＣＬＰＩメモリカードコネクタ３５０、ＡＳＩＣ、ＣＬＰＩ／ＵＬＰＩ変換回路１１１０を備える構成である。
【０１９１】
ＡＳＩＣは、ＵＬＰＩとＵＳＢの２つのインターフェースを備え、ＵＳＢのＰＨＹを搭載している。ＡＳＩＣのＵＳＢインターフェースはＵＳＢインターフェース用コネクタ３５２に接続され、ＡＳＩＣのＵＬＰＩインターフェースはＣＬＰＩ／ＵＬＰＩ変換回路１１１０を経由してＣＬＰＩインターフェース用コネクタ３５４に接続される。
【０１９２】
ＣＬＰＩ／ＵＬＰＩ変換回路１１１０は、ＵＬＰＩインターフェースとは別のＵＬＰＩにはないＣＬＰＩのプロトコルを補うための信号ＩＮＩＴ＿ＣＴＲＬにより外部装置がＣＬＰＩインターフェース用コネクタ３５４に接続された直後に行う初期化の制御を行う。またＡＳＩＣはフラッシュメモリ１１０１に接続される。
【０１９３】
このメモリカード構成では、ＰＨＹをＡＳＩＣに搭載することにより、ＰＨＹチップ分の実装面積が削減され、さらにＡＳＩＣの端子数が削減されることで、コストの削減、また基板設計の容易性に貢献できる。また、ＡＳＩＣは、メモリカードに接続される外部装置がＵＳＢまたはＣＬＰＩであっても、フラッシュメモリ１１０１へデータ転送するために処理するデータ形式はＵＬＰＩなので、回路設計が容易になる。
【０１９４】
上記の構成において、ＣＬＰＩメモリカードコネクタ３５０に接続される外部装置インターフェースとメモリカード内の構成例を、図１１Ａ〜図１１Ｇを参照して説明する。
【０１９５】
図１１Ａは、ＣＬＰＩメモリカードコネクタ３５０にＵＬＰＩ・ＰＨＹ１１０３をＣＬＰＩ／ＵＬＰＩ変換回路１１１０を経由して接続する形態である。ＡＳＩＣ１１２０は、ＵＬＰＩ・ＬＩＮＫ１１０７とＵＬＰＩ・ＰＨＹ１１０６を含むＰＨＹコア１１０５を備える。また、ＵＬＰＩ・ＬＩＮＫ１１０７は、ＡＳＩＣ１１２０のＵＬＰＩ端子とＵＬＰＩ・ＰＨＹ１１０６へ接続される。ＣＬＰＩメモリカードコネクタ３５０に接続される外部装置がＵＳＢであるときはＰＨＹコア１１０５を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときはＣＬＰＩインターフェース用コネクタ３５４を経由し、ＵＬＰＩ・ＬＩＮＫ１１０７とＵＬＰＩ・ＰＨＹ１１０３間でデータ転送を行う。
【０１９６】
図１１Ｂは、ＣＬＰＩメモリカードコネクタ３５０にＵＬＰＩ・ＬＩＮＫ１１０４をＣＬＰＩ／ＵＬＰＩ変換回路１１１０を経由して接続する形態である。ＡＳＩＣ１１３０は、ＵＬＰＩ・ＰＨＹ１１０６とＰＨＹコア１１０８を備える。また、ＵＬＰＩ・ＰＨＹ１１０６は、ＡＳＩＣ１１３０のＣＬＰＩインターフェース端子とＰＨＹコア１１０８へ接続される。ＣＬＰＩメモリカードコネクタ３５０に接続される外部装置がＵＳＢであるときはＰＨＹコア１１０８を経由しＵＬＰＩ・ＰＨＹ１１０６とＵＳＢインターフェース用コネクタ３５２間でデータ転送を行う。また、ＣＬＰＩメモリカードコネクタ３５０に接続される外部装置がＣＬＰＩであるときはＣＬＰＩインターフェース用コネクタ３５４を経由しＵＬＰＩ・ＰＨＹ１１０６とＵＬＰＩ・ＬＩＮＫ１１０４間でデータ転送を行う。
【０１９７】
図１１Ｃは、ＣＬＰＩメモリカードコネクタ３５０にＵＬＰＩモジュール１１５０をＣＬＰＩ／ＵＬＰＩ変換回路１１１０を経由して接続し、メモリカードは図１１Ａと同じ構成の形態である。ＣＬＰＩメモリカードコネクタ３５０に接続される外部装置がＵＳＢであるときはＰＨＹコア１１０５を経由しＵＬＰＩ・ＬＩＮＫ１１０７とＵＳＢインターフェース用コネクタ３５２間でデータ転送を行う。また、ＣＬＰＩメモリカードコネクタ３５０に接続される外部装置がＣＬＰＩであるときは、まずＵＬＰＩモジュール１１５０とＡＳＩＣ１１２０間で初期化を行う。その後ＵＬＰＩモジュール１１５０は、モジュール・アービター１１５３によってＵＬＰＩ・ＰＨＹ１１５１が選択され、ＡＳＩＣ１１２０のＵＬＰＩ・ＬＩＮＫ１１０７間でデータ転送を行う。
【０１９８】
図１１Ｄは、ＣＬＰＩメモリカードコネクタ３５０に上記と同じ構成のＵＬＰＩモジュール１１５０をＣＬＰＩ／ＵＬＰＩ変換回路１１１０を経由して接続し、メモリカードは図１１Ｂと同じ構成の形態である。ＣＬＰＩメモリカードコネクタ３５０に接続される外部装置がＵＳＢであるときはＰＨＹコア１１０８を経由しＵＬＰＩ・ＰＨＹ１１０６とＵＳＢインターフェース用コネクタ３５２間でデータ転送を行う。また、ＣＬＰＩメモリカードコネクタ３５０に接続される外部装置がＣＬＰＩであるときは、まずＵＬＰＩモジュール１１５０とＡＳＩＣ１１３０間で初期化を行う。その後ＵＬＰＩモジュール１１５０は、モジュール・アービター１１５３によりＵＬＰＩ・ＬＩＮＫ１１５２が選択され、ＡＳＩＣ１１３０のＵＬＰＩ・ＰＨＹ１１０６間でデータ転送を行う。
【０１９９】
図１１Ｅは、ＣＬＰＩメモリカードコネクタ３５０にＵＬＰＩ・ＰＨＹ１１０３をＣＬＰＩ／ＵＬＰＩ変換回路１１１０を経由して接続する形態である。ＡＳＩＣ１１４０は、ＵＬＰＩ・ＬＩＮＫ１１０７とＵＬＰＩ・ＰＹＨ１１０６とモジュール・アービター１１０９とＰＨＹコア１１０８を備える。ＣＬＰＩメモリカードコネクタ３５０に接続される外部装置がＵＳＢであるときはＰＨＹコア１１０８を経由しＵＬＰＩ・ＰＨＹ１１０６とＵＳＢインターフェース用コネクタ３５２間でデータ転送を行う。また、ＣＬＰＩメモリカードコネクタ３５０に接続される外部装置がＣＬＰＩであるときは、まずＵＬＰＩ・ＰＨＹ１１０３とＡＳＩＣ１１４０間で初期化を行う。その後ＡＳＩＣ１１４０は、モジュール・アービター１１０９によりＵＬＰＩ・ＬＩＮＫ１１０７が選択され、ＵＬＰＩ・ＰＨＹ１１０３間でデータ転送を行う。
【０２００】
図１１Ｆは、ＣＬＰＩメモリカードコネクタ３５０にＵＬＰＩ・ＬＩＮＫ１１０４をＣＬＰＩ／ＵＬＰＩ変換回路１１１０を経由して接続し、メモリカードは図１１Ｅと同じ構成の形態である。ＣＬＰＩメモリカードコネクタ３５０に接続される外部装置がＵＳＢであるときはＰＨＹコア１１０８を経由しＵＬＰＩ・ＰＨＹ１１０６とＵＳＢインターフェース用コネクタ３５２間でデータ転送を行う。また、ＣＬＰＩメモリカードコネクタ３５０に接続される外部装置がＣＬＰＩであるときは、まずＵＬＰＩ・ＬＩＮＫ１１０４とＡＳＩＣ１１４０間で初期化を行う。その後ＡＳＩＣ１１４０は、モジュール・アービター１１０９によりＵＬＰＩ・ＰＨＹ１１０６が選択され、ＵＬＰＩ・ＬＩＮＫ１１０４間でデータ転送を行う。
【０２０１】
図１１Ｇは、ＣＬＰＩメモリカードコネクタ３５０にＵＬＰＩモジュール１１５０をＣＬＰＩ／ＵＬＰＩ変換回路１１１０を経由して接続し、メモリカードは図１１Ｅと同じ構成の形態である。ＣＬＰＩメモリカードコネクタ３５０に接続される外部装置がＵＳＢであるときはＰＨＹコア１１０８を経由しＵＬＰＩ・ＰＨＹ１１０６とＵＳＢインターフェース用コネクタ３５２間でデータ転送を行う。また、ＣＬＰＩメモリカードコネクタ３５０に接続される外部装置がＣＬＰＩであるときは、まずＵＬＰＩモジュール１１５０とＡＳＩＣ１１４０間で初期化を行う。その後ＵＬＰＩモジュール１１５０がＵＬＰＩ・ＰＨＹ１１５１のときは、ＡＳＩＣ１１４０のＵＬＰＩ・ＬＩＮＫ１１０７間でデータ転送を行う。また、ＵＬＰＩモジュール１１５０がＵＬＰＩ・ＬＩＮＫ１１５２のときは、ＡＳＩＣ１１４０のＵＬＰＩ・ＰＨＹ１１０６間でデータ転送を行う。
【０２０２】
図１４Ａ〜図１４ＣにＣＬＰＩメモリカード３０１における電源制御回路１１０２の詳細な構成を示す。
【０２０３】
１４２０は、ＣＬＰＩメモリカード３０１の電源供給端子３１０に接続される電源端子である。そして、パーソナルコンピュータに接続してＵＳＢとして使用する場合には、パーソナルコンピュータから５Ｖが供給され、デジタルカメラ１０１に装着して使用する場合には、デジタルカメラ１０１から所定の電圧が供給される。
【０２０４】
１４３０は、ＣＬＰＩメモリカード３０１のＧＮＤ端子３１３及び３３３に接続されるＧＮＤ端子である。
【０２０５】
１４００は所定の直流電圧を出力するための三端子レギュレータで、ＣＬＰＩメモリカード３０１内のＡＳＩＣ１２２０或いはフラッシュメモリ１１０１の動作に必要な電圧を生成する。
【０２０６】
１４０２、１４０３及び１４０４は入出力電圧を安定化させるためのコンデンサである。
【０２０７】
１４５０は、ＵＳＢ−ＰＨＹ等へ５Ｖ系の電源を供給する電源端子である。また、１４５２は、ＡＳＩＣ１２２０或いはフラッシュメモリ１１０１等に、３Ｖ或いは２．５Ｖ等の低電圧を供給するための電源端子である。さらに、１４５６はメモリカード内部のＧＮＤと接続するＧＮＤ端子である。
【０２０８】
図１４Ａは、図３Ａの形態のメモリカードの場合における、電源制御回路の構成例の一つである。そして、電源端子１４２０にはデジタルカメラ１０１から、電源供給端子３１０を介して、三端子レギュレータ１４００の入力電圧として必要十分な電圧のみが供給される。
【０２０９】
１４５４はＡＳＩＣ１２２０からメモリカードの動作モードに関する制御信号を受け付ける制御端子である。また、１４０６はＣＬＰＩメモリカード３０１がデジタルカメラ１０１に装着された場合に、５Ｖ系の電源を必要とするＵＳＢ−ＰＨＹ１２１０等への電源供給を停止させるためのスイッチである。
【０２１０】
図１０のステップＳ１００４において、メモリカードの動作モードがＵＳＢであると判断された場合に、制御端子１４５４からの制御信号に従い、スイッチ１４０６は電源端子１４２０に接続され、ＵＳＢ−ＰＨＹ１２１０等に５Ｖの電源が供給される。
【０２１１】
一方、図１０のステップＳ１００４において、メモリカードの動作モードがＣＬＰＩであると判断された場合には、制御端子１４５４からの制御信号に従い、スイッチ１４０６をＧＮＤ端子１４３０に接続する。これにより、デジタルカメラ１０１の消費電力を削減することができる。
【０２１２】
図１４Ｂは、図３Ａの形態のメモリカードの場合における、電源制御回路の他の構成例である。電源端子１４２０にはデジタルカメラ１０１から、電源端子３１０を介して、ＣＬＰＩメモリカード３０１内のＡＳＩＣ１２２０或いはフラッシュメモリ１１０１の動作に必要な電圧のみが供給される。
【０２１３】
１４０８は、ＡＳＩＣ１２２０或いはフラッシュメモリ１１０１に供給するための電圧を切り替えるスイッチであり、１４１０は三端子レギュレータに供給する電圧をＯＦＦするためのスイッチである。
【０２１４】
図１０のステップＳ１００４においてメモリカードの動作モードがＵＳＢであると判断された場合に、制御端子１４５４からの制御信号に従い、スイッチ１４０６は電源端子１４２０に接続され、ＵＳＢ−ＰＨＹ等に５Ｖの電源が供給される。
【０２１５】
さらにスイッチ１４０８は三端子レギュレータの出力電圧側に、スイッチ１４１０は電源端子１４２０に接続され、ＣＬＰＩメモリカード３０１内のＡＳＩＣ１２２０及びフラッシュメモリ１１０１には３端子レギュレータの出力電圧が供給される。
【０２１６】
一方、図１０のステップＳ１００４においてメモリカードの動作モードがＣＬＰＩであると判断された場合には、制御端子１４５４からの制御信号に従い、スイッチ１４０６をＧＮＤ端子１４３０に接続する。さらに、スイッチ１４０８を電源端子１４２０に、スイッチ１４１０をＧＮＤ端子１４３０に接続することで三端子レギュレータでの電力消費を停止し、デジタルカメラ１０１の消費電力をさらに削減することが可能になる。
【０２１７】
図１４Ｃは、図３Ｂの形態のメモリカードの場合における、電源制御回路の構成例の一つであり、電源端子１４２０は、ＣＬＰＩメモリカード３０１の電源端子３１０を介して、デジタルカメラ１０１においてＧＮＤに接続される。
【０２１８】
電源端子１４２２にはデジタルカメラ１０１から、電源端子３２０を介して、ＣＬＰＩメモリカード３０１内のＡＳＩＣ１２２０或いはフラッシュメモリ１１０１の動作に必要な電圧のみが供給される。
【０２１９】
１４１２は、ＡＳＩＣ１２２０或いはフラッシュメモリ１１０１に供給するための電圧を切り替えるスイッチであり、電源端子１４２０の電圧レベルに応じて切り替えることが可能である。
【０２２０】
電源端子１４２０の電圧レベルがＧＮＤレベルでない場合には、ＣＬＰＩメモリカード３０１はＵＳＢメモリとしてパーソナルコンピュータ等に接続された状態である。そのため、スイッチ１４１２は三端子レギュレータ１４００の出力電圧側に接続され、ＡＳＩＣ１２２０或いはフラッシュメモリ１１０１には三端子レギュレータ１４００からの電圧が供給される。
【０２２１】
一方、電源端子１４２０の電圧レベルがＧＮＤレベルである場合には、ＣＬＰＩメモリカード３０１はデジタルカメラ１０１に装着された状態である。そのため、スイッチ１４１２は、電源端子１４２２側に接続され、ＡＳＩＣ１２２０或いはフラッシュメモリ１１０１には、デジタルカメラ１０１からの電圧が直接供給される。
【０２２２】
電源端子１４２０の電圧レベルは、ＣＬＰＩメモリカード３０１がデジタルカメラ１０１に装着された時点で、ＧＮＤレベルに固定される。そのため、ＵＳＢ−ＰＨＹ等の５Ｖ系電源を必要とする回路及び三端子レギュレータでの電力消費が抑えられ、デジタルカメラ１０１の消費電力をさらに削減することが可能になる。
【０２２３】
図１５Ａ、図１５Ｂはメディア検出の第２の構成例を示している。
【０２２４】
以下に、メモリカード挿入検知の手順の例を示す。
【０２２５】
まず、図１のカードスロット１０４内にある図１５Ａに示すメモリカードスロットピン３２５ｂとメモリカードスロットピン３２８ｂが互いに接触している状態にあるとする。この状態では、ＣＰＵ４０６は、図１５Ｃ、図１５Ｄで示されている端子配置で構成されているメモリカード３０１が図１のカードスロット１０４に挿入されていないものと検知する。具体的な検知方法については後述する。一方、メモリカード３０１がカードスロット１０４に挿入されると、図１５Ｂのメモリカードスロットピン３２５ｂとメモリカードスロットピン３２８ｂが互いに接触しない状態となる。そのため、ＣＰＵ４０６は、メモリカード３０１がカードスロット１０４に挿入されているものと検知する。このようにメモリカードスロットピン３２５ｂとメモリカードスロットピン３２８ｂのオープン／ショートでメモリカード３０１の挿入を検知することが可能となる。
【０２２６】
図１５Ｃ、図１５Ｄは、ＣＰＵ４０６によってメモリカード３０１がカードスロット１０４内に挿入されたか否かを検知できるメモリカードの具体的な端子配置を示している。
【０２２７】
メモリカード３０１の各ＣＬＰＩ端子がメモリカード３０１の両面にあって、メモリカード３０１をカードスロット１０４に挿入するとき、メモリカードスロットピン３２５ｂとＤ４端子３２５が接触するような端子配置となっている。また、メモリカードスロットピン３２８ｂとＤ７端子３２８が接触するような端子配置となっている。また、メモリカード３０１がカードスロット１０４に挿入されていないときは、メモリカードスロットピン３２５ｂとメモリカードスロットピン３２８ｂが互いに接触するような端子配置となっている。
【０２２８】
図１５Ｅ、図１５Ｆは、メモリカードスロットピン３２５ｂとメモリカードスロットピン３２８ｂのオープン／ショートでメモリカード３０１の挿抜を検知するカメラ側の制御方法を説明するための図である。以下に図７のステップＳ７０１の後に行われるメディア検出の例を説明する。
【０２２９】
まず、メモリカード３０１では、プルダウン制御信号３９３によってプルダウン切り替えスイッチ３９５をＯＮにし、プルダウン抵抗３９４経由でＧＮＤレベルへプルダウンされているとする。
【０２３０】
ＣＰＵ４０６は、メモリカードスロットピン３２８ｂの信号を受け取る側として動作し、プルダウン制御信号３９０によってプルダウン切り替えスイッチ３９２をＯＮにし、プルダウン抵抗３９１経由でＧＮＤレベルへプルダウンする。
【０２３１】
ＣＰＵ４０６はメモリカードスロットピン３２５ｂに対してＨＩの信号を出力する。
【０２３２】
図１５Ｆで、時刻ｔ０のときは、メモリカード３０１がカードスロット１０４に挿入されていない状態である。このとき、メモリカードスロットピン３２５ｂとメモリカードスロットピン３２８ｂが接触しているため、メモリカードスロットピン３２８ｂの信号レベルもＨＩである。そのため、ＣＰＵ４０６がメモリカードスロットピン３２８ｂからＨＩ信号を入力として受けたとき、メモリカード３０１はカードスロット１０４内に挿入されていないと検知する。
【０２３３】
時刻ｔ１のときは、メモリカード３０１がカードスロット１０４に挿入された状態である。このとき、メモリカードスロットピン３２５ｂとメモリカードスロットピン３２８ｂが接触していないため、メモリカードスロットピン３２８ｂの信号レベルはＬＯＷである。そのため、ＣＰＵ４０６がメモリカードスロットピン３２８ｂからＬＯＷ信号を入力として受けたとき、メモリカード３０１はカードスロット１０４内に挿入されていると検知する。
【０２３４】
時刻ｔ２の後は、ＣＰＵ４０６によるメモリカード３０１のカードスロット１０４への挿入検知後の状態である。ＣＰＵ４０６はメモリカード３０１の電源供給端子３２０に所定の電圧を供給する。
【０２３５】
ＣＰＵ４０６がプルダウン制御信号３９０によって、プルダウン切り替えスイッチ３９２をＧＮＤレベルへプルダウンしないように制御を行う。また、メモリカード３０１では、ＵＬＰＩ・ＬＩＮＫと２つのＵＬＰＩインターフェースを備えたＡＳＩＣ１２２０がプルダウン制御信号３９３によって、プルダウン切り替えスイッチ３９５をＯＦＦにし、ＧＮＤレベルへプルダウンしないように制御を行う。これにより、メモリカード判別工程であるステップＳ７０４までにメモリカード３０１の挿入を検知することが可能となる。
【０２３６】
このようにメモリカードスロットピン３２５ｂとメモリカードスロットピン３２８ｂのオープン／ショートでメモリカード３０１の挿入を検知することが可能となる。
【０２３７】
また、随時ＣＰＵ４０６がプルダウン制御信号３９０によってプルダウン切り替えスイッチ３９２をＯＮにし、プルダウン抵抗３９１経由でＧＮＤレベルへプルダウンする。そして、メモリカードスロットピン３２８ｂの信号をＣＰＵ４０６で受け取ることで、カードスロット１０４内のメモリカード３０１の有無を確かめることができる。
【図面の簡単な説明】
【０２３８】
【図１】メモリカードとデジタルカメラの構成を説明するための図である。
【図２】メモリカードとパーソナルコンピュータの構成を説明するための図である。
【図３Ａ】メモリカードコネクタの構成を説明するための図である。
【図３Ｂ】メモリカードコネクタの構成を説明するための図である。
【図３Ｃ】メモリカードコネクタの構成を説明するための図である。
【図３Ｄ】メモリカードコネクタの構成を説明するための図である。
【図３Ｅ】メモリカードコネクタの構成を説明するための図である。
【図３Ｆ】メモリカードコネクタの構成を説明するための図である。
【図３Ｇ】メモリカードコネクタの構成を説明するための図である。
【図３Ｈ】ＵＳＢメモリのコネクタを示す図である。
【図４】デジタルカメラの構成を説明するための図である。
【図５Ａ】ＵＳＢメモリ挿入時におけるスロットの様子を示す図である。
【図５Ｂ】メモリカード挿入時におけるスロットの様子を示す図である。
【図５Ｃ】メディア検出回路内の様子を示す図である。
【図５Ｄ】メディア検出回路内の様子を示す図である。
【図５Ｅ】ＵＳＢメモリ挿入時におけるスロットの様子を示す図である。
【図５Ｆ】メモリカード挿入時におけるスロットの様子を示す図である。
【図５Ｇ】メディア検出回路内の様子を示す図である。
【図５Ｈ】メディア検出回路内の様子を示す図である。
【図６Ａ】ＵＳＢメモリ検出時のＭＯＮ端子への入力波形を示す図である。
【図６Ｂ】メモリカード検出時のＭＯＮ端子への入力波形を示す図である。
【図６Ｃ】ＵＳＢメモリ挿入時のＳＴＰ端子からの出力波形を示す図である。
【図６Ｄ】ＵＳＢメモリ挿入時のＭＯＮ端子への入力波形を示す図である。
【図６Ｅ】メモリカード挿入時のＳＴＰ端子からの出力波形を示す図である。
【図６Ｆ】メモリカード挿入時のＭＯＮ端子への入力波形を示す図である。
【図７】デジタルカメラの撮影時のフローチャートである。
【図８Ａ】メモリカード側のＵＳＢ／ＣＬＰＩ検出の構成を示す図である。
【図８Ｂ】メモリカード側のＵＳＢ／ＣＬＰＩ検出の構成を示す図である。
【図９Ａ】メモリカード側のＵＳＢ／ＣＬＰＩ検出原理を示す図である。
【図９Ｂ】メモリカード側のＵＳＢ／ＣＬＰＩ検出のタイミングチャートである。
【図９Ｃ】メモリカード側のＵＳＢ／ＣＬＰＩ検出のタイミングチャートである。
【図９Ｄ】メモリカード側のＵＳＢ／ＣＬＰＩ検出原理を示す図である。
【図９Ｅ】メモリカード側のＵＳＢ／ＣＬＰＩ検出のタイミングチャートである。
【図９Ｆ】メモリカード側のＵＳＢ／ＣＬＰＩ検出のタイミングチャートである。
【図１０】メモリカード側のＵＳＢ／ＣＬＰＩ検出動作を示すフローチャートである。
【図１１Ａ】メモリカードのブロック図である。
【図１１Ｂ】メモリカードのブロック図である。
【図１１Ｃ】メモリカードのブロック図である。
【図１１Ｄ】メモリカードのブロック図である。
【図１１Ｅ】メモリカードのブロック図である。
【図１１Ｆ】メモリカードのブロック図である。
【図１１Ｇ】メモリカードのブロック図である。
【図１２Ａ】メモリカードのブロック図である。
【図１２Ｂ】メモリカードのブロック図である。
【図１２Ｃ】メモリカードのブロック図である。
【図１２Ｄ】メモリカードのブロック図である。
【図１２Ｅ】メモリカードのブロック図である。
【図１２Ｆ】メモリカードのブロック図である。
【図１２Ｇ】メモリカードのブロック図である。
【図１３Ａ】メモリカードのブロック図である。
【図１３Ｂ】メモリカードのブロック図である。
【図１３Ｃ】メモリカードのブロック図である。
【図１３Ｄ】メモリカードのブロック図である。
【図１４Ａ】電源制御回路の構成を示す図である。
【図１４Ｂ】電源制御回路の構成を示す図である。
【図１４Ｃ】電源制御回路の構成を示す図である。
【図１５Ａ】メモリカード挿入検知の構成を説明するための図である。
【図１５Ｂ】メモリカード挿入検知の構成を説明するための図である。
【図１５Ｃ】メモリカード挿入検知のメモリカード端子配置を説明するための図である。
【図１５Ｄ】メモリカード挿入検知のメモリカード端子配置を説明するための図である。
【図１５Ｅ】メモリカード挿入検知の制御信号を説明するための図である。
【図１５Ｆ】メモリカード挿入検知の制御信号を説明するためのタイミングチャートである。
【符号の説明】
【０２３９】
１０１  デジタルカメラ
１０２  レリーズスイッチ
１０３  レンズ
１０４  カードスロット
１０５  ＵＳＢインターフェーススロット
１０６  カード蓋
１２０  プリンタ
１２１  ＵＳＢインターフェースケーブル
２０１  パーソナルコンピュータ
２０２  ＵＳＢインターフェーススロット
３０１  ＣＬＰＩメモリカード
３０２  ＵＳＢメモリ
３０３  ＵＳＢオスコネクタ
３０４  ストッパー孔
３１０  ＶＣＣ
３１１  Ｄ−
３１２  Ｄ＋
３１３  ＧＮＤ
３２０  ＶＣＣ
３２１  Ｄ０
３２２  Ｄ１
３２３  Ｄ２
３２４  Ｄ３
３２５  Ｄ４
３２６  Ｄ５
３２７  Ｄ６
３２８  Ｄ７
３３０  ＤＩＲ
３２９  ＣＬＫ
３３１  ＮＸＴ
３３２  ＳＴＰ
３３３  ＧＮＤ
３３４  ＶＣＣ
３５０  ＣＬＰＩメモリカードコネクタ
３５２  ＵＳＢインターフェース用コネクタ
３５４  ＣＬＰＩインターフェース用コネクタ
３２５ｂ  メモリカードスロットピン
３２８ｂ  メモリカードスロットピン
３９０  プルダウン制御信号
３９１  プルダウン抵抗
３９２  プルダウン切り替えスイッチ
３９３  プルダウン制御信号
３９４  プルダウン抵抗
３９５  プルダウン切り替えスイッチ
４０２  ＣＣＤ
４０３  撮像素子
４０４  圧縮回路
４０５  メモリ及びメモリ制御回路
４０６  ＣＰＵ
４０７  ＵＳＢ−ＰＨＹ
４０８  表示装置
４０９  データバス
４１１  メディア検出スイッチ
４１２  カード蓋検出スイッチ
８０４  ＵＳＢプルアップ抵抗
８０５  ＵＳＢプルアップ切り替えスイッチ
８０６  ＵＳＢプルアップ制御信号
８０７  ＵＳＢプルダウン抵抗
８０８  ＵＳＢプルダウン切り替えスイッチ
８０９  ＵＳＢプルダウン制御信号
８１０  ＣＬＰＩプルアップ抵抗
８１１  ＣＬＰＩプルアップ切り替えスイッチ
８１２  ＣＬＰＩプルアップ制御信号
８１３  ＣＬＰＩプルダウン抵抗
８１４  ＣＬＰＩプルダウン切り替えスイッチ
８１５  ＣＬＰＩプルダウン制御信号
８２０  ＡＳＩＣ内部ＵＳＢプルアップ抵抗
８２１  ＡＳＩＣ内部ＵＳＢプルアップ切り替えスイッチ
８２２  ＡＳＩＣ内部ＵＳＢプルアップ制御信号
８２３  ＡＳＩＣ内部ＵＳＢプルダウン抵抗
８２４  ＡＳＩＣ内部ＵＳＢプルダウン切り替えスイッチ
８２５  ＡＳＩＣ内部ＵＳＢプルダウン制御信号
８２６  ＡＳＩＣ内部ＣＬＰＩプルアップ抵抗
８２７  ＡＳＩＣ内部ＣＬＰＩプルアップ切り替えスイッチ
８２８  ＡＳＩＣ内部ＣＬＰＩプルアップ制御信号
８２９  ＡＳＩＣ内部ＣＬＰＩプルダウン抵抗
８３０  ＡＳＩＣ内部ＣＬＰＩプルダウン切り替えスイッチ
８３１  ＡＳＩＣ内部ＣＬＰＩプルダウン制御信号
９０１  ＳＴＰ端子挿入経路
９０２  ＮＸＴ端子挿入経路
９１１  Ｄ１端子挿入経路
９１２  Ｄ０端子挿入経路
１１０１  フラッシュメモリ
１１０２  電源制御回路
１１０３  外部ＵＬＰＩ・ＰＨＹ
１１０４  外部ＵＬＰＩ・ＬＩＮＫ
１１０５  ＡＳＩＣ内のＵＬＰＩ・ＰＨＹを備えたＰＨＹコア
１１０６  ＡＳＩＣ内のＵＬＰＩ・ＰＨＹ
１１０７  ＡＳＩＣ内のＵＬＰＩ・ＬＩＮＫ
１１０８  ＡＳＩＣ内のＰＨＹコア
１１０９  ＡＳＩＣ内のモジュール・アービター
１１１０  ＣＬＰＩ／ＵＬＰＩ変換回路
１１２０  ＡＳＩＣ
１１３０  ＡＳＩＣ
１１４０  ＡＳＩＣ
１１５０  外部ＵＬＰＩモジュール
１１５１  外部ＵＬＰＩモジュール内のＵＬＰＩ・ＰＨＹ
１１５２  外部ＵＬＰＩモジュール内のＵＬＰＩ・ＬＩＮＫ
１１５３  外部ＵＬＰＩモジュール内のモジュール・アービター
１２１０  ＰＨＹチップ
１２１１  ＰＨＹチップ内のＵＬＰＩ・ＰＨＹ
１２２０  ＡＳＩＣ
１２３０  ＡＳＩＣ
１２４０  ＡＳＩＣ
１３０１  ＰＨＹチップとＡＳＩＣ間に配置されたスイッチ
１３０２  スイッチ
１３１０  ＡＳＩＣ
１４００  三端子レギュレータ
１４０２、１４０３、１４０４  コンデンサ
１４０６、１４０８、１４１０、１４１２  電源切替スイッチ
１４２０、１４２２  入力側電源端子
１４３０  ＧＮＤ端子
１４５０、１４５２  出力側電源端子
１４５４  制御端子
１４５６  出力側ＧＮＤ端子
【図１】
2008097306.tif 000003
【図２】
2008097306.tif 000004
【図３Ａ】
2008097306.tif 000005
【図３Ｂ】
2008097306.tif 000006
【図３Ｃ】
2008097306.tif 000007
【図３Ｄ】
2008097306.tif 000008
【図３Ｅ】
2008097306.tif 000009
【図３Ｆ】
2008097306.tif 000010
【図３Ｇ】
2008097306.tif 000011
【図３Ｈ】
2008097306.tif 000012
【図４】
2008097306.tif 000013
【図５Ａ】
2008097306.tif 000014
【図５Ｂ】
2008097306.tif 000015
【図５Ｃ】
2008097306.tif 000016
【図５Ｄ】
2008097306.tif 000017
【図５Ｅ】
2008097306.tif 000018
【図５Ｆ】
2008097306.tif 000019
【図５Ｇ】
2008097306.tif 000020
【図５Ｈ】
2008097306.tif 000021
【図６Ａ】
2008097306.tif 000022
【図６Ｂ】
2008097306.tif 000023
【図６Ｃ】
2008097306.tif 000024
【図６Ｄ】
2008097306.tif 000025
【図６Ｅ】
2008097306.tif 000026
【図６Ｆ】
2008097306.tif 000027
【図７】
2008097306.tif 000028
【図８Ａ】
2008097306.tif 000029
【図８Ｂ】
2008097306.tif 000030
【図９Ａ】
2008097306.tif 000031
【図９Ｂ】
2008097306.tif 000032
【図９Ｃ】
2008097306.tif 000033
【図９Ｄ】
2008097306.tif 000034
【図９Ｅ】
2008097306.tif 000035
【図９Ｆ】
2008097306.tif 000036
【図１０】
2008097306.tif 000037
【図１１Ａ】
2008097306.tif 000038
【図１１Ｂ】
2008097306.tif 000039
【図１１Ｃ】
2008097306.tif 000040
【図１１Ｄ】
2008097306.tif 000041
【図１１Ｅ】
2008097306.tif 000042
【図１１Ｆ】
2008097306.tif 000043
【図１１Ｇ】
2008097306.tif 000044
【図１２Ａ】
2008097306.tif 000045
【図１２Ｂ】
2008097306.tif 000046
【図１２Ｃ】
2008097306.tif 000047
【図１２Ｄ】
2008097306.tif 000048
【図１２Ｅ】
2008097306.tif 000049
【図１２Ｆ】
2008097306.tif 000050
【図１２Ｇ】
2008097306.tif 000051
【図１３Ａ】
2008097306.tif 000052
【図１３Ｂ】
2008097306.tif 000053
【図１３Ｃ】
2008097306.tif 000054
【図１３Ｄ】
2008097306.tif 000055
【図１４Ａ】
2008097306.tif 000056
【図１４Ｂ】
2008097306.tif 000057
【図１４Ｃ】
2008097306.tif 000058
【図１５Ａ】
2008097306.tif 000059
【図１５Ｂ】
2008097306.tif 000060
【図１５Ｃ】
2008097306.tif 000061
【図１５Ｄ】
2008097306.tif 000062
【図１５Ｅ】
2008097306.tif 000063
【図１５Ｆ】
2008097306.tif 000064